(57)【要約】  断熱装置は、断熱装置内のチャンバへのアクセスを可能にする防水クロージャを有する開口を含むことができる。クロージャは、断熱装置が転倒した場合、または直立以外の任意の構成である場合、断熱装置の内外のいかなる流体の漏れも防止するのに役立つことができる。クロージャはまた、断熱装置が沈殿物、その他の流体にさらされたり、水中に沈められたりした場合に、チャンバに流体が浸透するのを防ぐことができる。断熱装置は、装置がバックパックとして着用されることを可能にする後部パネル支持構造および肩部ストラップを含むことができる。この構造は、クロージャがシールされている場合、水および他の液体に対する実質的に不浸透性である断熱チャンバをもたらす。
2021508265.tif 000002
【特許請求の範囲】
【請求項１】
断熱装置バックパックであって、
直方体形状を有する外側シェルであって、さらに、
前記断熱装置バックパックの前部を画定する第１の側壁と、
前記断熱装置バックパックの側部を画定する第２の側壁および第３の側壁と、前記断熱装置バックパックの後部を画定する第４の側壁とを備える、外側シェルと、
保管区画を形成する内側ライナと、
前記外側シェルと前記内側ライナとの間に配置された断熱層であって、前記保管区画に断熱を提供する断熱層と、
前記外側シェルに外部的に結合された後部パネル支持構造と、
前記後部パネル支持構造に結合された肩部ストラップと、
前記保管区画へのアクセスを可能にするように構成された開口と、
前記開口を実質的にシールするように適合されたクロージャであって、前記断熱装置が任意の向きにあるときに液体が前記開口から出るのを防ぐように実質的に防水性であるクロージャとを備え、
前記開口が、前記第１の側壁、前記第２の側壁、前記第３の側壁、および前記第４の側壁の少なくとも一部を通って延在している、断熱装置バックパック。
【請求項２】
前記後部パネル支持構造が、前記第４の側壁に外部的に結合される、請求項１に記載の断熱装置バックパック。
【請求項３】
前記第４の側壁に取り外し可能に結合された腰部ストラップをさらに備える、請求項１に記載の断熱装置バックパック。
【請求項４】
前記後部パネル支持構造が外側層および内側層を含み、前記後部パネル支持構造の前記外側層が圧縮成形されたエチレンビニルアセテートを含む、請求項１に記載の断熱装置バックパック。
【請求項５】
前記内側ライナおよび前記外側シェルが接合部を形成し、前記接合部がガスに対する通気孔を備える、請求項１に記載の断熱装置バックパック。
【請求項６】
前記外側シェルが１つ以上のハンドルを備え、前記１つ以上のハンドルの位置に隣接して通気孔が形成されている、請求項１に記載の断熱装置バックパック。
【請求項７】
前記クロージャが、前記断熱装置が水によって完全に満たされ且つ６フィートの距離から落とされたときに液体が前記開口から出るのを防ぐように実質的に防水性である、請求項１に記載の断熱装置バックパック。
【請求項８】
前記外側シェルが、第１の平面に延在する底壁を画定し、前記内側ライナが、前記第１の平面に対して垂直に延在する第２の平面において前記外側シェルに固定される、請求項１に記載の断熱装置バックパック。
【請求項９】
前記内側ライナが、第１のピースおよび第２のピースから形成され、前記第１のピースが、溶接によって前記第２のピースに接合されてシームを画定し、前記シームがシームテープによって覆われる、請求項１に記載の断熱装置バックパック。
【請求項１０】
前記内側ライナが、射出成形によって形成される、請求項１に記載の断熱装置バックパック。
【請求項１１】
前記クロージャが、ジッパーであり、実質的に防水性であり、前記ジッパーがプルを含み、前記プルが、布、紐、またはロープから形成されている、請求項１記載の断熱装置バックパック。
【請求項１２】
蓋アセンブリおよび本体アセンブリをさらに備える、請求項１に記載の断熱装置バックパック。
【請求項１３】
前記蓋アセンブリおよび前記本体アセンブリが共に、前記内側ライナ、前記断熱層、および前記外側シェルを形成する、請求項１２に記載の断熱装置バックパック。
【請求項１４】
前記蓋アセンブリが、前記断熱層の少なくとも一部を含む、請求項１２に記載の断熱装置バックパック。
【請求項１５】
前記蓋アセンブリが、ハンドルと、前記内側ライナ、前記断熱層、および前記外側シェルよりも剛性の高い補強層とを含む、請求項１２に記載の断熱装置バックパック。
【請求項１６】
前記断熱層が、前記内側ライナと前記外側シェルとの間で浮遊する、請求項１に記載の断熱装置バックパック。
【請求項１７】
前記断熱層が、前記内側ライナまたは前記外側シェルに取り付けられている、請求項１に記載の断熱装置バックパック。
【請求項１８】
断熱装置であって、
第１の側壁を画定する外側シェルと、
保管区画を形成する内側ライナと、
前記外側シェルと前記内側ライナとの間に配置された断熱層であって、前記保管区画に断熱を提供する断熱層と、
前記外側シェルに外部的に結合された後部パネル支持構造と、
前記保管区画へのアクセスを可能にするように構成された開口と、
前記開口を実質的にシールするように適合されたクロージャであって、前記断熱装置が任意の向きにあるときに液体が前記開口から出るのを防ぐように実質的に防水性であるクロージャとを備える、断熱装置。
【請求項１９】
前記第１の側壁が、前記断熱装置の前部を画定し、前記外側シェルが、さらに、前記断熱装置の側部を画定する第２の側壁および第３の側壁と、前記断熱装置の後部を画定する第４の側壁とを備え、前記後部パネル支持構造が、前記第４の側壁に外部的に結合される、請求項１８に記載の断熱装置。
【請求項２０】
前記開口が、前記第１の側壁、前記第２の側壁、前記第３の側壁、および前記第４の側壁の少なくとも一部を通って延在している、請求項１９に記載の断熱装置。
【請求項２１】
前記後部パネル支持構造に結合された肩部ストラップをさらに備える、請求項１８に記載の断熱装置。
【請求項２２】
前記断熱装置が直方体の形状である、請求項１８に記載の断熱装置。
【請求項２３】
前記内側ライナおよび前記外側シェルが接合部を形成し、前記接合部がガスに対する通気孔を備える、請求項１８に記載の断熱装置。
【請求項２４】
前記外側シェルが１つ以上のハンドルを備え、前記１つ以上のハンドルの位置に隣接して通気孔が形成されている、請求項１８に記載の断熱装置。
【請求項２５】
前記内側ライナが、第１のピースおよび第２のピースから形成され、前記第１のピースが、溶接によって前記第２のピースに接合されてシームを画定し、前記シームがシームテープによって覆われる、請求項１８に記載の断熱装置。
【請求項２６】
前記内側ライナが、射出成形によって形成される、請求項１８に記載の断熱装置。
【請求項２７】
下部外側シェルを形成し、下部断熱層を前記下部外側シェルに配置し、下部内側ライナ部分を前記下部外側シェルに固定することによって本体アセンブリを形成することと、
上部外側シェル、上部内側ライナ部分、およびそれらの間の上部断熱層の蓋アセンブリを形成することと、
後部パネル支持構造を形成し、前記後部パネル支持構造を前記本体アセンブリの後部に接合することと、
前記蓋アセンブリと前記本体アセンブリとの間にクロージャを固定し、結合材料を前記本体アセンブリおよび前記蓋アセンブリに固定することにより、前記蓋アセンブリを前記本体アセンブリに接合することとを含む、方法。
【請求項２８】
さらに、
肩部ストラップを形成し、前記肩部ストラップを前記後部パネル支持構造に接合することを含む、請求項２７に記載の方法。
【請求項２９】
前記断熱層が、前記下部外側シェルと前記下部内側ライナ部分との間で浮遊する、請求項２７に記載の方法。
【発明の詳細な説明】
【技術分野】
【０００１】
関連出願の相互参照
本特許出願は、２０１７年１２月１８日に出願された米国特許出願第１５／８４５，７３７号の優先権を主張するものであり、この出願は、２０１７年３月６日に出願された米国特許出願第１５／４５１，０６４号の一部継続出願であり、これは、２０１６年９月９日に出願された米国特許出願第１５／２６１，４０７号の一部継続出願であり、これは、２０１６年５月１３日に出願された米国特許出願第１５／１５４，６２６号の一部継続出願であり、これは、２０１５年８月２０日に出願された米国特許出願第１４／８３１，６４１号の一部継続出願であり、これは、２０１４年９月８日に出願された米国特許出願第１４／４７９，６０７号の分割出願であり、これは、現在は米国特許第９，１３９，３５２号であり、これは、２０１４年２月７日に出願された米国特許出願第６１／９３７，３１０号の優先権を主張する。２０１６年９月９日に出願された米国特許出願第１５／２６１，４０７号もまた、２０１６年２月５日に出願された米国仮特許出願第６２／２９２，０２４号、２０１６年２月２４日に出願された米国特許出願第６２／２９９，４２１号、２０１６年２月２４日に出願された米国特許出願第６２／２９９，４０２号の優先権を主張する。上記特許出願は、全て、あらゆる非限定的な目的のために、参照により本明細書に完全に組み込まれる。
【０００２】
分野
本開示は、一般に、食品および飲料を冷たくまたは暖かく保つのに有用な非剛性の携帯用断熱装置または容器に関し、より詳細には、防水クロージャを有する断熱装置に関する。
【背景技術】
【０００３】
背景
クーラーは、食品や飲料を低温に保つように設計されている。容器は、金属もしくはプラスチックなどの剛性素材または布地もしくは発泡体などの柔軟素材から構成されることができる。クーラーは、携帯性を容易にするように設計されることができる。例えば、剛性容器は、輸送を容易にする車輪を組み込むように設計されることができ、またはクーラーは、個人が装置全体を運ぶことを可能にするためにより小さい形状で設計されることができる。非剛性容器には、ストラップおよび／またはハンドルを設けることができ、特定の例では、移動を容易にするように軽量材料から作製されることができる。可搬性を最大化する非剛性クーラーは、クーラーの内部の内容物へのアクセスを可能にする開口を上部に有して設計されることができる。開口にはまた、クロージャを設けることもできる。
【発明の概要】
【０００４】
この概要は、以下の詳細な説明でさらに説明される簡略化された形態での本発明に関連するいくつかの一般的な概念の紹介を提供する。この概要は、本発明の主要な特徴または本質的な特徴を識別することを意図したものではない。
【０００５】
本明細書の開示の態様は、（１）防水クロージャ、（２）外側シェル、（３）内側ライナ、（４）外側シェルと内側ライなとの間に自由に浮遊する断熱層、または（５）防水保管区画のうちの１つ以上を有する断熱装置に関連することができる。
【０００６】
前述の概要および以下の詳細な説明は、参照符号が現れる様々な図の全てにおいて同様の参照符号が同一または同様の要素を指す添付の図面と併せて考慮すると、よりよく理解されるであろう。
【図面の簡単な説明】
【０００７】
【図１Ａ】本開示の態様にかかる例示的な断熱装置の左正面斜視図を示している。
【図１Ｂ】肩部ストラップを有しない図１Ａの例示的な断熱装置の正面側斜視図を示している。
【図２】肩部ストラップを有しない図１Ａの例示的な断熱装置の背面側斜視図を示している。
【図３Ａ】肩部ストラップを有しない図１Ａの例示的な断熱装置の平面斜視図を示している。
【図３Ｂ】図１Ａの例示的な断熱装置の一部の平面図を示している。
【図３Ｃ】図１Ａの例示的な断熱装置の代替の平面斜視図の一部を示している。
【図４】図１Ａの例示的な断熱装置の底面斜視図を示している。
【図５Ａ】図１Ａの例示的な断熱装置の断面図の概略を示している。
【図５Ｂ】図１Ａの例示的な断熱装置の断面図の拡大部分の他の概略を示している。
【図６】断熱装置を形成するための例示的なプロセスフロー図を示している。
【図７Ａ】断熱装置を形成する例示的な方法を示している。
【図７Ｂ】断熱装置を形成する例示的な方法を示している。
【図７Ｃ】断熱装置を形成する例示的な方法を示している。
【図７Ｄ】断熱装置を形成する例示的な方法を示している。
【図７Ｅ】断熱装置を形成する例示的な方法を示している。
【図７Ｆ】断熱装置を形成する例示的な方法を示している。
【図７Ｇ】断熱装置を形成する例示的な方法を示している。
【図７Ｈ】断熱装置を形成する例示的な方法を示している。
【図７Ｉ】断熱装置を形成する例示的な方法を示している。
【図７Ｊ】断熱装置を形成する例示的な方法を示している。
【図８Ａ】代替の例示的な断熱装置の斜視図を示している。
【図８Ｂ】代替の例示的な断熱装置の斜視図を示している。
【図９】断熱装置がその内容物を維持するかどうかを判定するための例示的なクロージャおよび例示的な試験方法の一部を示している。
【図１０】断熱装置の強度を判定するための例示的な試験を示している。
【図１１】他の例示的な断熱装置の正面図を示している。
【図１２】図１１の例示的な断熱装置の側面図を示している。
【図１３】代替構成における例示的な断熱装置の正面斜視図を示している。
【図１４Ａ】図１１の例示的な断熱装置の側面図および断面図を示している。
【図１４Ｂ】図１４Ａの拡大断面を示している。
【図１５】図１１の例示的な断熱装置のための例示的な断熱層の概略分解図を示している。
【図１６Ａ】他の例示的な断熱装置の一部を示している。
【図１６Ｂ】図１６Ａの例示的な断熱装置の側面図を示している。
【図１７】他の例示的な断熱装置の斜視図を示している。
【図１８】図１７の断熱装置の正面図を示している。
【図１９】図１７の断熱装置の背面図を示している。
【図２０】図１７の断熱装置の側面図を示している。
【図２１】図１７の断熱装置の断面図を示している。
【図２２】図１７の例示的な断熱装置のための例示的な断熱層の概略分解図を示している。
【図２２Ａ】図１７の例示的な断熱装置のための例示的な断熱層の正面図を示している。
【図２３】例示的な試験方法を示している。
【図２４】本開示の態様にかかる例示的な断熱装置の正面図を示している。
【図２５】図２４の例示的な断熱装置の側面図を示している。
【図２６】図２４の例示的な断熱装置の背面図を示している。
【図２７】図２４の例示的な断熱装置の平面図を示している。
【図２８】図２４の例示的な断熱装置の底面図を示している。
【図２９Ａ】図２４の例示的な断熱装置の断面図を示している。
【図２９Ｂ】図２４の例示的な断熱装置の断面図の一部を示している。
【図３０】図２４の例示的な断熱装置の例示的な断熱層の等角図を示している。
【図３１】断熱装置の内側ライナの代替実施形態を示している。
【図３２】開放位置にある図２４の断熱装置を示している。
【図３２Ａ】断熱装置を形成する例示的な製造方法を示している。
【図３３】ハンドルを断熱装置に固定する例示的な方法を示している。
【図３４】例示的な試験方法を示している。
【図３５Ａ】他の例示的な断熱装置の正面図を示している。
【図３５Ｂ】図３５Ａの例示的な断熱装置の側面図を示している
【図３５Ｃ】図３５Ａの例示的な断熱装置の背面図を示している。
【図３５Ｄ】図３５Ａの例示的な断熱装置の平面図を示している。
【図３５Ｅ】図３５Ａの例示的な断熱装置の底面図を示している。
【図３５Ｆ】図３５Ａの例示的な断熱装置の断面図を示している。
【図３６Ａ】例示的な蓋の部分断面図を示している。
【図３６Ｂ】図３６Ａの例示的な蓋の透明な平面図を示している。
【図３７】本明細書に記載の１つ以上の態様にかかる断熱装置の正面部の等角図を示している。
【図３８】本明細書に記載の１つ以上の態様にかかる図３７の同じ断熱装置の背面部の等角図を示している。
【図３９】本明細書に記載の１つ以上の態様にかかる断熱装置の正面図を示している。
【図４０Ａ】本明細書に記載の１つ以上の態様にかかる断熱装置の右側面図を示している。
【図４０Ｂ】本明細書に記載の１つ以上の態様にかかる断熱装置の右側面図の他の実装を示している。
【図４１】本明細書に記載の１つ以上の態様にかかる断熱装置の第２の側面の左側面図を示している。
【図４２】本明細書に記載の１つ以上の態様にかかる断熱装置の背面側の立面図を示している。
【図４３】本明細書に記載の１つ以上の態様にかかる断熱装置の断面図を概略的に示している。
【図４４】本明細書に記載の１つ以上の態様にかかる図３７の断熱装置の他の等角図を示している。
【図４５】本明細書に記載の１つ以上の態様にかかる断熱装置の他の実装の等角図を示している。
【図４６】本明細書に記載の１つ以上の態様にかかる分割リングファスナの実装を概略的に示している。
【発明を実施するための形態】
【０００８】
詳細な説明
以下の様々な例および本開示の構成要素の説明では、その一部を形成し、本開示の態様が実施可能な様々な例示的な構造および環境として示される添付の図面を参照する。他の構造および環境が利用されてもよく、本開示の範囲から逸脱することなく、具体的に説明した構造および方法から構造的および機能的変更が行われてもよいことを理解されたい。
【０００９】
また、「前面側」、「背面側」、「上」、「ベース」、「底」、「側」、「前方」、「後方」などの用語は、様々な例示的な特徴および要素を記載するために本明細書において使用されることができ、これらの用語は、便宜上、例えば図に示される例示的な向きおよび／または典型的な使用の向きに基づいて、本明細書において使用される。本明細書のいかなるものも、特許請求の範囲内に含めるために、構造の特定の三次元的または空間的方向付けを必要とすると解釈されるべきではない。
【００１０】
図１〜図４は、長期間にわたって冷却または保温されて保管された所望の内容物を保持するように構成されることができる例示的な断熱装置１０を示している。断熱装置は、一般に、外側シェル５０１、クロージャ３０１、断熱層５０２、および内側ライナ５００を含むことができる。図３Ｃに示されるように、内側ライナ５００は、その中に所望の内容物を受け入れるためのチャンバまたはレセプタクル５０４を形成する。図１Ａに示されるように、様々なハンドル、ストラップ、およびウェブ（例えば、２１０、２１２、２１８、２２４）はまた、断熱装置１０を運搬、保持、または固定するために断熱装置１０に含まれることができる。
【００１１】
断熱装置１０は、レセプタクル５０４に保管された所望の内容物を長期間にわたって低温または高温に保つように構成されることができる。一例では、断熱装置１０はまた、内部チャンバまたはレセプタクル５０４の内側に水を維持するように設計されることもでき、断熱装置１０は、外部からの水に「耐性」があるように構成されることができる。換言すれば、断熱装置１０は、内側ライナ５００の内部に「水密」に形成されることができ、クロージャ３０１が閉鎖位置にあるとき、水は、内側ライナ５００の外側からまたは内側から内側ライナ５００に漏れることができない。
【００１２】
図４は、断熱装置１０の底面図を示している。図４に示されるように、断熱装置１０は、ベース２１５およびベース支持隆起４００を含むことができる。ベース支持隆起４００は、断熱装置１０が表面上に配置されたときに、断熱装置１０への構造的完全性および支持を提供することができる。
【００１３】
一例では、図３Ａおよび図４に示されるように、外側シェル５０１の上部は、第１の外周（Ｔｃｉｒ）を有し、外側シェル５０１の下部は、第２の外周またはベース周囲４０１（Ｂｃｉｒ）を有する。外側シェル５０１の上部の外周は、円筒に折り畳まれたときの下部の外周と等しくすることができ、Ｂｃｉｒは、Ｔｃｉｒと等しくすることができる。一例では、第１の外周および第２の外周は、双方とも楕円形を有し、細長または楕円形の円筒を形成することができる。一例では、上部外側層は、長さが２３．５インチ、幅が５．５インチを有することができる。したがって、上部外側層５０１ａの幅に対する長さの比は、約４．３とすることができる。さらに、ベース２１５は、２０．０インチの長さおよび１２．２５インチの幅を有することができる。したがって、ベース２１５の幅に対する長さの比は、約１．６である。この例では、上壁の幅に対する長さの比は、ベースの幅に対する長さの比よりも大きくすることができる。
【００１４】
一例では、図５Ａに示すように、内側層または内側ライナ５００は、上部内側ライナ部分または第１の内側ライナ部分５００ａ、内側層中間部分または第２の部分５００ｂ、および内側層下部分５００ｃから形成されることができる。上部内側ライナ部分５００ａ、内部層中間部分５００ｂ、および内側層下部分５００ｃは、例えば溶接によって共に固定されてチャンバ５０４を形成する。チャンバ５０４は、内容物を保管するための「ドライバッグ」または容器とすることができる。一例では、上部内部ライナ部分５００ａ、内部層中間部分５００ｂ、および内部層下部分５００ｃが共に固定または接合された後、ＴＰＵテープなどのテープがチャンバ５０４のセクションを接合するシームにわたって配置されることができる。したがって、内側ライナ５００は、断熱装置１０のチャンバ５０４内に液体を維持するか、または液体内容物が断熱装置１０のチャンバ５０４に入るのを防ぐことができる。一例では、以下にさらに詳細に説明するように、内側ライナ５００は、クロージャ３０１のみによって断熱装置１０内に懸架されることができる。
【００１５】
断熱層５０２は、内側ライナ５００と外側シェル５０１との間に配置されることができ、レセプタクル５０４の内部温度を維持するのを助けるための断熱体として形成されることができる。一例では、断熱層５０２は、外側シェル５０１または内側ライナ５００に直接取り付けられていない自由浮遊層とすることができる。断熱層５０２は、第１の部分５０２ａおよび第２の部分またはベース部分５０２ｂから形成されることができる。第１の部分５０２ａおよび第２の部分５０２ｂは、以下にさらに詳細に説明されるように、断熱発泡材料から形成されることができる。
【００１６】
第１の部分５０２ａは、円筒形に折り畳まれ、内側ライナ５００と外側シェル５０１との間に配置され、外側シェル５０１によって上方から包まれたときにその形状を維持する矩形の形状を有することができる。断熱層５０２は、その形状を維持し、断熱装置１０の基本的な楕円円筒形をもたらす。したがって、外側シェル５０１と同様に、断熱層５０２の上部は、第１の外周を有し、断熱層５０２の下部は、第２の外周を有する。断熱層５０２の第１の外周は、断熱層５０２の第２の外周と等しくすることができる。
【００１７】
ベース部分５０２ｂは、ベース２１５において断熱装置１０に沿って追加の断熱を提供するために含まれることができる。ベース５０２ｂは、断熱層５０２の円筒形状によって形成された下部開口５０６を閉鎖するように楕円形として形成されることができる。
【００１８】
さらに、断熱装置１０の下部は、追加のベース支持層５０５を含むことができ、これは、断熱装置１０の断熱および構造的完全性を追加する。ベース支持層５０５はまた、断熱装置１０の下部の周りに追加の保護を提供することができる。一例では、ベース支持層５０５は、ＥＶＡ発泡体から形成されることができる。ベース支持層５０５は、材料に直接成形またはエンボス加工されることができるロゴまたは名称などの特定のデザインを含むことができる。断熱装置１０への構造的完全性および支持を提供するベース支持隆起４００はまた、ベース支持層５０５に直接成形またはエンボス加工されることもできる。一例では、ベース支持層５０５およびベース部分５０２ｂは、組み立てを容易にするために取り外されることができる。
【００１９】
外側シェル５０１は、上部外側層部分または第１のシェル部分５０１ａ、外側層または第２の外側シェル部分５０１ｂ、および下部分または第３のシェル部分５０１ｃから形成されることができる。外側シェル５０１は、断熱装置１０のためのカバーを提供する。一例では、断熱層５０２は、外側シェル５０１内に自由に懸架されることができる。しかしながら、いずれの層も、一体型の一体構造として固定または形成されることができることが想定される。外側シェル５０１は、１つ以上の任意のハンドルまたはストラップ（例えば、２１０、２１２、２１８）を支持するように構成されることができる。これに関して、外側シェル５０１はまた、任意のハンドルまたはストラップ（例えば、２１０、２１２、２１８）を構造的に支持するのを助けるように構成された複数の補強領域またはパッチ２２０を含むこともできる。ハンドルまたはストラップ（例えば、２１０、２１２、２１８）および他の付属品は、糸２２２を使用して縫合されることができるが、これらの糸２２２は、一例では、外側シェル５０１を通って断熱層５０２内に延在していない。むしろ、糸はパッチ２２０に縫合され、パッチ２２０は、外側シェル５０１にまたは本明細書に開示される任意の他の方法によってＲＦ溶接されることができる。
【００２０】
図５Ａに示されるように、第１の外側シェル部分５０１ａは、縫合５１０によって第２のシェル部分５０１ｂに取り付けられてもよい。しかしながら、第１の外側シェル部分５０１ａは、任意の公知の方法、例えば、第２のシェル部分５０１ｂの全周囲の周りのポリマー溶接、縫合、または他の接着剤を使用して、第２のシェル部分５０１ｂに取り付けられることができる。
【００２１】
さらに、一例では、ＥＶＡ発泡体から形成されることができるベース支持層５０５は、積層によって下部または第３のシェル部分５０１ｃに固定されることができる。第２のシェル部分５０１ｂは、ポリマー溶接（例えば、ＲＦ溶接）、縫合、または接着剤によって、第３のシェル部分５０１ｃおよびベース支持層５０５に固定されることができる。
【００２２】
断熱装置１０は、断熱装置１０の正面２１６および断熱装置１０の背面２１７に接続された２つのキャリーハンドル２１０を含むことができる。１つの特定の例では、肩部ストラップ２１８は、プラスチック製または金属製のクリップを介して、サイドハンドル２１２に取り付けられたリング２１４に取り付けられ、肩の上での断熱装置１０の運搬を容易にすることができる。断熱装置１０はまた、クーラーの各端部にサイドハンドル２１２を含むことができる。サイドハンドル２１２は、断熱装置を把持して運ぶための他のオプションをユーザに提供する。
【００２３】
キャリーハンドル２１０はまた、断熱装置１０へのキャリーハンドルの取り付け点の下部近くにリング２１４を受け入れるためのスロットを形成することができる。リング２１４は、縫合、接着剤、またはポリマー溶接によってキャリーハンドル２１０および取り付け点２１３に固定されることができ、断熱装置１０を車両、船舶、キャンプ設備などの他の構造、または鍵、水筒、追加のストラップ、栓抜き、工具、その他の身の回り品などの様々な物体に固定または縛るのを助けるために使用されることができる。
【００２４】
さらに、図２に示すように、ループ５０７として形成されたウェビングは、断熱装置１０の背面にハンドル２１０を形成するストラップに縫合されることができる。ループ２２４は、物品（例えば、カラビナ、ドライバッグ）を断熱装置１０に取り付けるために使用されることができる。サイドハンドル２１２はまた、断熱装置１０を構造に固定するための他のオプションをユーザに提供することができる。
【００２５】
一例では、キャリーハンドル２１０、サイドハンドル２１２、肩部ストラップ２１８および取り付け点２１３は、ナイロンウェビングから構成されることができる。その他の素材は、ポリプロピレン、ネオプレン、ポリエステル、ダイニーマ、ケブラー、綿織物、皮革、プラスチック、ゴム、ロープを含むことができる。キャリーハンドル２１０およびサイドハンドル２１２は、縫合、接着剤、またはポリマー溶接によって外側シェルに取り付けられることができる。
【００２６】
肩部ストラップ２１８は、取り付け点２１３において断熱装置１０に取り付けられることができる。取り付け点２１３は、リング２１４を受け入れるためのスロットも形成するストラップとすることができる。リング２１４は、肩部ストラップ２１８の取り付けを提供することができる。
【００２７】
一例では、リング２１４は、アセタールＤリングとすることができる。リング２１４は、プラスチック、金属、セラミック、ガラス、合金、ポリプロピレン、ネオプレン、ポリエステル、ダイニーマ、およびケブラー、綿織物、皮革、プラスチック、ゴム、またはロープとすることができる。リング２１４は、「Ｄ」形状以外の他の形状、サイズ、および構成を含むことができる。例は、複数の取り付け点を有する円形、正方形、矩形、三角形、またはリングを含む。さらに、ポケットまたは他の保管スペースは、キャリーハンドル２１０およびサイドハンドル２１２に加えて、断熱装置１０の外側に取り付けられることができる。
【００２８】
一例では、クロージャ３０１は、液体内容物が断熱装置に出入りするのを防ぐように実質的に防水性または障壁とすることができる。さらに、クロージャ３０１は、断熱装置１０のいかなる方向においても断熱装置１０の液体浸透が防止されるように、液体に対して不浸透性とすることができる。また、クロージャ３０１を平坦面に維持することは、水密シールを提供するのを助けることができる。
【００２９】
図３Ａ〜図３Ｃは、断熱装置１０の平面図を示し、上部外側層または第１の外部シェル部分５０１ａおよびクロージャ３０１を示している。図３Ａに示される上部外側層５０１ａは、クロージャ３０１に固定されることができる。一例では、クロージャ３０１は、防水ジッパーアセンブリとすることができ、圧縮空気による試験中、大気圧よりも高く７ｐｓｉまで水密とすることができる。しかしながら、他の例では、クロージャ３０１の水密性は、大気圧よりも５ｐｓｉから９ｐｓｉ高くすることができ、他の例では、クロージャ３０１の水密性は、大気圧よりも２ｐｓｉから１４ｐｓｉ高くすることができる。防水ジッパーアセンブリは、スライダ本体３０３およびプルタブ３０２を含むことができる。図３Ｂは、下部ストッパ３０４および歯もしくはチェーン３０５を含むクロージャ３０１の拡大図を示している。１つの特定の例では、防水ジッパーアセンブリは、内部チャンバ５０４から食品または飲料を取り出すときの損傷を防止するようにプラスチックまたは他の非金属の歯３０５を用いて構成されることができる。
【００３０】
図３Ｃに示されるように、クロージャ３０１は、開放しているかまたはジップ解放されており、外側シェル５０１および内側ライナ５００に形成された開口５１２は、開放しており、内側ライナ５００および内側チャンバ５０４を露出している。クロージャまたはシール３０１は、図３Ａ〜図３Ｃに描かれた防水ジッパーアセンブリに加えて、様々なシーリング装置を含むことができることが想定される。例えば、ベルクロ（登録商標）、スナップ、バックル、ジッパー、ロールダウンシールなどのシールを形成するために複数回折り曲げられた余分な材料、シール、金属またはプラスチック製のクランプおよびそれらの組み合わせが使用され、内側ライナ５００および外側シェル５０１をシールすることができる。
【００３１】
図８Ａおよび図８Ｂは、図１Ａ〜図５Ｂに関連して上述した例と同様の特徴および機能を有する他の例示的な断熱装置１０１０を示しており、同様の参照符号は、同じまたは同様の要素を指す。しかしながら、この例では、ループパッチ１０１５がバッグの前部に設けられることができる。ループパッチ１０１５は、フィッシングルアー、鍵、栓抜き、カードホルダー、工具、その他の身の回り品などの様々な物品の任意の場所の表面に配置されることができる、多くの種類の物品または対応するフックの群を受け入れるように構成されることができる。ループパッチ１０１５は、ロゴ、会社名、個人化、または他のカスタマイズを含むことができる。ループパッチ１０１５は、針ループによって形成されることができ、１０，０００閉鎖を超える高いサイクル寿命を有することができる。さらに、ループパッチは、洗濯可能でＵＶ耐性があり、変色を防ぐことができる。ループパッチは、断熱装置１０１０に固定される材料の種類に応じて、所望の剪断および剥離強度に基づいて選択されることができる。
【００３２】
図８Ａおよび図８Ｂに示す例では、さらに、材料のストリップ１０１３がバッグの下部に沿って設けられることができ、これは、外側シェル１５０１に追加の強度および補強を提供することができ、断熱装置１０１０の美観を高めることができる。
【００３３】
ここで、断熱装置１０を形成する例示的な方法を説明する。断熱装置１０の例示的な組み立てプロセスの一般的な概要が図６に概略的に示されている。しかしながら、様々なステップは、必ずしも記載された順序で実行される必要はない。ステップ６０２に示されるように、最初に、内側ライナ５００、外側シェル５０１、および断熱層５０２を形成するために使用される部分は、サイズに合わせて形成または切断されることができる。ステップ６０４では、上部キャップアセンブリ３００は、クロージャ３０１に組み立てられることができる。ステップ６０６では、内側ライナ５００が形成されることができ、ステップ６０８では、上部キャップアセンブリ３００が内側ライナ５００に溶接されることができる。ステップ６１０では、外側シェル５０１が形成されることができる。ステップ６１２では、断熱層５０２が組み立てられることができ、ステップ６１６では、断熱層５０２が内部ライナに配置されることができる。最後に、ステップ６１８では、上部キャップアセンブリ３００が外側シェル５０１に固定されることができる。
【００３４】
ステップ６０２を参照すると、図７Ａおよび図７Ｂに示されるように、上部キャップアセンブリ３００を形成する内部ライナ上部部分または第１の内部ライナ部分５００ａおよび上部外側層５０１ａは、サイズに合わせて形成または切断されることができる。図７Ｃは、ストック発泡体からサイズに合わせて切断または形成される断熱層５０２の第２の部分またはベース部分５０２ｂを示している。この例では、ベース部分５０２ｂは、切断工具７００によって、ストック発泡体５３０から切断される。一例では、切断工具７００は、ベース部分５０２ｂの形状に形成されることができる。
【００３５】
ここでステップ６０４および図７Ｄを参照すると、上部外側層５０１ａおよび上部内部ライナ部分５００ａは、クロージャ３０１に固定され、上部キャップアセンブリ３００を形成することができ、上部外側層５０１ａおよび上部内部ライナ部分５００ａは、平坦な水平面においてクロージャ３０１に固定されることができる。図５Ａ〜図５Ｂを参照すると、上部外側層５０１ａは、ポリマー溶接または接着剤によってクロージャ３０１に取り付けられることができる。特に図５Ｂに概略的に示されるように、クロージャ３０１は、防水ジッパーテープ３０６を形成することができる第１のフランジ３０１ａおよび第２のフランジ３０１ｂを備えることができる。上部外側層５０１ａは、クロージャ３０１の第１のフランジ３０１ａおよび第２のフランジ３０１ｂの上面に直接取り付けられることができる。一例では、第１のフランジ３０１ａおよび第２のフランジ３０１ｂは、上部外側層５０１ａの下側にＲＦ溶接されることができる。他の例では、図７Ｅに示されるように、上部内側ライナ部分５００ａは、タブ５１５を備えることができる。タブ５１５は、組み立てプロセスにおいて、上部内側ライナ部分５００ａの外側ストリップを組み立て中に所定の位置に保つのを助けることができ、上部キャップアセンブリ３００が形成された後に取り外されることができる。
【００３６】
一例では、上部内側ライナ部分５００ａは、図５Ｂに概略的に示されるように、断熱装置１０の構造に取り付けられることができる。特に、上部内側ライナ部分５００ａは、クロージャ３０１の下部に取り付けられることができる。例えば、図５Ｂに示すように、上部内側ライナ部分５００ａの第１の端部５４０ａおよび第２の端部５４０ｂは、第１のフランジ３０１ａおよび第２のフランジ３０１ｂの下側に取り付けられることができる。上部内部ライナ部分５００ａおよび上部外側層５０１ａは、ポリマー溶接または接着剤によってクロージャ３０１に取り付けられることができる。ポリマー溶接は、外部方法および内部方法の双方を含む。外部または熱的方法は、ホットガス溶接、ホットウェッジ溶接、ホットプレート溶接、赤外線溶接およびレーザ溶接を含むことができる。内部方法は、機械的溶接および電磁的溶接を含むことができる。機械的方法は、スパイン溶接、攪拌溶接、振動溶接、および超音波溶接を含むことができる。電磁的方法は、抵抗、インプラント、エレクトロフュージョン溶接、誘導溶接、誘電溶接、ＲＦ（無線周波数）溶接、およびマイクロ波溶接を含むことができる。溶接は、平坦面または水平面において行うことができ、構成材料へのポリマー溶接の効果を最大化することができる。その結果、水または流体が内部チャンバ５０４からまたは内部チャンバ内に逃げるのを防止する頑丈な水密シームが形成されることができる。
【００３７】
特定の例では、上部内側ライナ部分５００ａをクロージャ３０１の下部に接続するためのポリマー溶接技術は、ＲＦ溶接を含むことができる。ＲＦ溶接技術は、水または他の流体が大気圧よりも高く７ｐｓｉまでの圧力でシームに浸透するのを防ぐ防水シームを提供する。したがって、断熱装置１０は、裏返しにされるかまたは水中に沈められることができ、内部ライナ５００によって形成された内部チャンバ５０４の内外への漏れが防止される。一例では、断熱装置１０は、水漏れが発生する前に、水中で約１６フィートの深さに沈められることができる。しかしながら、いかなる漏れも発生する前に、この深さは、約１１フィートから２１フィートまたは５フィートから３２フィートの範囲とすることができることが想定される。
【００３８】
次にステップ６０６および図７Ｆを参照すると、内側層中間部分５００ｂは、ＲＦ溶接によって形成されることができる。図７Ｆに示されるように、内側層中間部分５００ｂは、矩形のシート材料から形成されることができる。内側層中間部分５００ｂはまた、図示されていない後続のステップにおいて内側層下部分５００ｃに固定されることができる。
【００３９】
ステップ６０８および図７Ｇおよび図７Ｈを参照すると、内側層中間部分５００ｂおよび内側層下部分５００ｃは、ＲＦ溶接作業を使用して上部キャップアセンブリ３００に固定されることができる。
【００４０】
ステップ６１０を参照すると、ベース支持層５０５を支持する第２のシェル部分５０１ｂおよび第３のシェル部分５０１ｃは、ＲＦ溶接され、断熱装置１０用の外側シェル５０１を構成することができる。一例では、図５Ａに概略的に示すように、上部外側層５０１ａは、第２のシェル部分５０１ｂの周囲に縫合され、断熱装置の外側シェル５０１を形成することができる。布製の結合材が使用され、第２のシェル部分５０１ｂおよび上部外側層５０１ａの縫合シームエッジを覆うことができる。これは、断熱層５０２の周りの外側シェル５０１を閉鎖または接合するのを助ける。
【００４１】
ステップ６１２および図７Ｉを参照すると、断熱層５０２が構成されることができる。一例では、断熱層５０２の第１の部分５０２ａは、矩形形状に形成されることができ、円筒形を形成するために両面テープを使用して矩形形状の短辺に固定されることができる。第２の部分またはベース部分５０２ｂは、第１の部分５０２ａの円筒形の周囲よりも小さい周囲を有することができる楕円形に形成されることができる。第２の部分５０２ｂは、同様に両面テープを使用して第１の部分５０２ａに固定され、断熱層５０２を形成することができる。一例では、両面テープは、第１の部分５０２ａの円筒の内周の周りかまたはベース部分５０２ｂの外周の周りに置くことができ、ベース部分５０２ｂは、第１の部分５０２ａに接着されることができる。接着剤またはポリマー溶接などのベース部分５０２ｂを第１の部分５０２ａに固定して断熱層５０２を形成する他の方法が想定される。
【００４２】
ステップ６１４を参照すると、組み立てられた断熱層５０２は、外側シェル５０１内に配置されることができる。ステップ６１６では、形成された内側ライナ５００および上部キャップアセンブリ３００は、断熱層５０２内に配置されることができる。
【００４３】
最後に、ステップ６１８では、図５Ａに概略的に示すように、上部キャップアセンブリ３００は、外側シェル５０１に縫合され、シーム５２０を形成することができる。このようにして、内側ライナ５００も外側シェル５０１も、断熱層５０２に結合される必要はない。また、内側ライナ５００は、クロージャ３０１にのみ接続され、クロージャ３０１は、内側ライナと外側シェル５０１とを共に保持し、これは、より単純な製造プロセスをもたらす。上部キャップアセンブリ３００を外側シェル５０１に縫合した後、シーム５２０に隣接する生のエッジを覆うために布製の結合材が追加される。したがって、上部シーム５２０は、縫合によって形成される断熱装置１０上の唯一の主要シームとすることができる。
【００４４】
１つの特定の例では、内側ライナ５００および外側シェル５０１は、二重積層ＴＰＵナイロン布から構成されることができる。ナイロン布は、内側ライナ５００および外側シェル５０１のベース材料として使用されることができ、布の両側にＴＰＵラミネートによってコーティングされることができる。１つの特定の例において使用されるＴＰＵナイロン布は、０．６ミリメートルの厚さで、防水性があり、全ての食品医薬品局の要件を満たす抗菌添加剤を有する。しかしながら、断熱装置を構成するために使用される布地は、抗菌材料を組み込んで、食品接触面である安全なカビのない環境を形成することが想定される。１つの特定の例では、ナイロンは、ＴＰＵを有する８４０ｄナイロンとすることができる。内側シェルまたはチャンバ５０４および外側シェル５０１を製造するために使用される代替材料は、ＰＶＣ、ＴＰＵコーティングされたナイロン、コーティングされた布、および他の溶接可能で防水性の布を含む。
【００４５】
独立気泡発泡体が使用され、内側ライナ５００と外側シェル５０１との間に位置する断熱層５０２を形成することができる。一例では、断熱層５０２は、１．０インチの厚さである。一例では、断熱層５０２は、ＮＢＲ／ＰＶＣブレンドまたは任意の他の適切なブレンドから形成されることができる。例示的な断熱層５０２の熱伝導率は、０．１６〜０．３２ＢＴＵ．ｉｎ  ／（時間・ｓｑｆｔ・°Ｆ）の範囲とすることができ、断熱層５０２の密度は、０．９〜５ｌｂｓ／ｆｔ３の範囲とすることができる。一例では、断熱層５０２の熱伝導率は、０．２５ＢＴＵ．ｉｎ／（時間・ｓｑｆｔ・°Ｆ）の範囲とすることができ、断熱層５０２の密度は、３．５ｌｂｓ／ｆｔ３とすることができる。
【００４６】
発泡体ベースは、ＮＢＲ／ＰＶＣブレンドまたは任意の他の適切なブレンドから製造されることができる。断熱層５０２のベース部分５０２ｂに加えて、断熱装置１０はまた、発泡体、プラスチック、金属または他の材料から構成された外側ベース支持層５０５を含むことができる。一例では、ベース部分５０２ｂは、ベース支持層から分離されることができる。一例では、ベース部分５０２ｂは、１．５インチの厚さである。さらに、図５Ａに示されるように、ＥＶＡ発泡体ベース支持層５０５は、０．２インチの厚さとすることができる。ベース支持層５０５は、ベース外側層または第３のシェル部分５０１ｃに積層されるが、他の例では、ベース支持層５０５は、共成形、ポリマー溶接、接着剤、または任意の公知の方法によってベース部分５０２ｂの下部に取り付けられることができる。
【００４７】
例示的な断熱装置１０に対して熱利得試験が行われた。熱利得試験の目的は、断熱装置が内部容量に基づいて氷の量で１０６°Ｆ±４の周囲温度で５０°Ｆ未満の温度を保持することができる時間を判定することである。
【００４８】
手順は以下のとおりである：
【００４９】
１．オーブンの電源を入れ、１０６°Ｆ±４に設定する。オーブンを少なくとも１時間安定させる。
【００５０】
２．チャートレコーダの電源を入れる。以下の温度を記録するために、レコーダには、３つのＪ熱電対が接続されている必要がある：（１）試験ユニット、（２）オーブン、および（３）部屋の周囲。
【００５１】
３．試験ユニットを容量の半分まで氷水によって満たし、室温（７２°Ｆ±２）で５分間放置して、試験ユニットを安定化させる。
【００５２】
４．５分後、内容物を注ぎ出し、直ちにＪ熱電対の端部をユニットの内側下部中央に接続する。熱電対ワイヤの端部は、内側下面と同じ高さにして、マスキングテープによって固定される必要がある。
【００５３】
５．正しい量の氷を注ぎ、熱電対ワイヤが動かないようにする。氷の量は、ユニットの内部容量の立方フィートあたり４ｌｂｓに基づいている。
【００５４】
６．蓋を閉め、オーブン内に試験ユニットを配置する。
【００５５】
７．オーブンを閉じて、熱電対ワイヤが機能していることを確認する。
【００５６】
８．チャートレコーダの開始をマークする。
【００５７】
装置：１．オーブン。２．氷。３．チャートレコーダ。４．Ｊ熱電対（３）。結果：１．保冷時間：小数時間での＜３２°Ｆから５０°Ｆまでの経過時間。２．熱利得率（°Ｆ／Ｈｒ）：（５０°Ｆ〜３２°Ｆ）÷経過時間＝１８°Ｆ÷経過時間
【００５８】
例示的な断熱装置の１つの試験では、２６．５クォートの容量を想定して熱利得率は、１．４ｄｅｇＦ／ｈｒに等しく、試験には３．５４２ｌｂｓの氷を使用した。
【００５９】
断熱装置１０が内部の漏れに耐える能力も試験され、断熱装置が保管区画またはレセプタクル５０４に保管された内容物をどの程度うまく維持するかを確認することができる。１つの例示的な試験では、断熱装置１０は、水などの液体によって満たされることができ、そして、所定の期間にわたって反転されて、あらゆる水分漏れについて試験されることができる。この例では、断熱装置１０は、レセプタクル５０４の容積の約半分が満たされるまで、例えば３ガロンの水などの液体によって満たされ、そして、クロージャ３０１が完全に閉じられて、スライダ本体３０３が馬蹄形部分３０８に完全にシールされることを確実にする。次に、断熱装置１０全体が反転され、３０分間反転保持される。次に、断熱装置１０は、いかなる漏れについても調べられる。
【００６０】
断熱装置１０は、いかなる水もレセプタクル５０４から漏れたり出たりすることなく、３０分間反転保持されることに耐えるように構成されることができる。代替の例では、断熱装置は、いかなる水もレセプタクル５０４から漏れたり出たりすることなく、１５分から１２０分の間反転保持されることに耐えるように構成されることができる。この試験を実行するために、クロージャを潤滑して、クロージャが適切にシールされることを確認するために有用とすることができる。例えば、図９に示すように、クロージャ３０１の馬蹄形部分３０８には、潤滑剤３０９が設けられる。
【００６１】
断熱装置１０の外側シェル５０１、内側ライナ５００および断熱層５０２を形成する布の強度および耐久性も試験されることができる。一例では、試験は、穿刺試験として考案されることができる。特に、この試験は、ＡＳＴＭ  Ｄ７５１−０６  Ｓｅｃ．２２−２５ドライバ穿刺試験として設計されることができる。一例では、断熱装置１０は、３５ｌｂｓから１００ｌｂｓの穿刺力に耐えることができる。
【００６２】
断熱装置１０のハンドル強度および耐久性も試験されることができる。そのような例示的な試験の１つが図１０に示されている。図１０に示すように、クロージャ３１０は、完全に閉じられることができ、キャリーハンドル２１０の１つは、天井クレーン６００にフック留めされることができ、反対のキャリーハンドル２１０は、重量を保持することができるプラットフォーム６５０にフック留めされることができる。一例では、プラットフォーム６５０は、２００ｌｂｓの重量を保持するように構成されることができる。試験中、クレーン６００は、ゆっくりと持ち上げられ、これにより、断熱装置１０の底面が床に対して垂直である位置に断熱装置１０を懸架する。一例では、断熱装置１０は、いかなる障害の兆候も示すことなく、最低３分間、２００ｌｂｓの重量を保持するように構成されることができる。代替の例では、断熱装置は、障害の兆候を示すことなく、１から１０分間、１００ｌｂｓから３００ｌｂｓの重量を保持するように構成されることができる。
【００６３】
図１１〜図１５は、他の例示的な断熱装置２０１０を示している。例示的な断熱装置２０１０は、上記例と同様の構成とすることができ、同様の参照符号は、同様の機能を有する同様の特徴を表す。しかしながら、例示的な断熱装置２０１０はまた、断熱装置２０１０のクロージャ２３１１を断熱するのを助けるために折り畳み式フラップまたは部分２３０７を含むことができる。具体的には、本明細書で論じられる他の例によればジッパーとすることができるクロージャ２３１１は、折り畳み式フラップまたは部分２３０７に含まれることができ、断熱装置２０１０の前面または壁に配置されるという点で前向きとすることができる。前向きクロージャ２３１１は、断熱装置２０１０への追加のユーザアクセスを可能にすることができ、折り畳み式フラップまたは部分２３０７は、クロージャ２３１１における追加の断熱を提供するのに役立つことができる。この例では、折り畳み式フラップ２３０７が拡張位置にあり、クロージャ２３１１が開放しているかまたは開封されている場合、断熱装置２０１０の内容物は、断熱装置２０１０の内容物への良好なアクセスのためにクロージャ２３１１を開放位置に維持する。これは、ユーザが断熱装置２０１０の内容物により容易にアクセスすることができるようにするのを助けることができる。また、図１１に示すように、折り畳み式フラップ２３０７が拡張位置にあるとき、断熱装置２０１０は、断熱装置２０１０の上部に細長クロージャを設けるために台形形状に近付くことができる。
【００６４】
側面図および断面図、すなわち図１２および図１４Ａに示されるように、断熱装置２０１０の折り畳み式フラップ２３０７が拡張位置にあるとき、断熱装置２０１０は、五角形に近付くことができる。この一般的な形状は、いくつかの断熱装置が輸送用容器に適合されることができるという点で、容易に輸送されることができる断熱装置２０１０を提供することができる。それにもかかわらず、断熱装置２０１０の上部に拡張したクロージャを提供することができ且つ容易にパッケージングされることができる、例えば、四角形、矩形、三角形、円錐形、湾曲形、および切頭形などの他の形状および構成が想定される。
【００６５】
上記例と同様に、断熱装置２０１０は、外側シェル２５０１、保管区画、レセプタクル、または内部チャンバ２５０４を形成する内側ライナ２５００、および外側シェル２５０１と内側ライナ２５００との間に配置された断熱層２５０２を含むことができる。断熱層２５０２は、保管区画２５０４に断熱を提供する。クロージャ２３１１は、開口２５１２を実質的にシールするように構成されることができ、これは、角度の付いた前面に位置し且つ外側シェル２５０１および内側ライナ２５００を通って延在して保管区画２５０４へのアクセスを提供する。また、クロージャ２３１１は、上述した例に従って同様の特徴および機能を含むことができる。一例では、クロージャ２３１１は、ジッパーとすることができ、断熱装置２０１０が任意の向きにあるときに液体が開口から出るのを防ぐように実質的に防水性とすることができる。また、上記例と同様に、断熱装置２０１０は、上記例と同様の特徴および機能を有することができる、キャリーハンドル２２１０、肩部ストラップ２２１８、例えばリング２２１４を縫合することによって糸２２２２によって形成されたウェビングループ２２２４、および取り付け点２２１３のうちの１つ以上を備えることができる。
【００６６】
図１１および図１２に示すようにならびに上述したように、折り畳み式フラップ２３０７は、前向きクロージャ２３１１を含むことができ、折り畳まれて断熱装置２０１０の側壁に固定されて、前向きクロージャ２３１１をさらに断熱することができる。締結機構２３０１の折り畳み式フラップ２３０７は、第１および第２の端部フックまたはクリップ２３１３ａ、２３１３ｂを含むことができる。一例では、端部クリップ２３１３ａ、２３１３ｂのそれぞれは、断熱装置２０１０の側面または側壁に配置された対応するループ２３１５ａ、２３１５ｂに受け入れられるためのスロット２３１７ａ、２３１７ｂを含むことができる。断熱装置２０１０を閉鎖するために、折り畳み式フラップ２３０７は、前向きクロージャ２３１１とともに、断熱装置２０１０の前面または壁上に折り畳まれる。折り畳み式フラップ２３０７は、前向きクロージャ２３１１とともに折り畳まれ、隠すかまたは覆う。折り畳み式フラップ２３０７は、第１および第２の端部クリップ２３１３ａ、２３１３ｂによって定位置に保持され、締結機構２３０１を閉鎖位置に維持する。さらに、折り畳み部分２３０７が断熱装置２０１０の側壁に固定されると、折り畳み部分２３０７は、少なくとも部分的に実質的に水平方向に延在し、これは、断熱装置２０１０を保持および運搬するためにユーザが把持するための位置にキャリーハンドル２３１８を向ける。他のハンドルおよびストラップと同様に、キャリーハンドル２３１８は、補強パッチ（図示せず）によって外側シェルに固定されることができる。キャリーハンドル２３１８は、断熱装置２０１０の背面に設けられ、前面においてクロージャ２３１１と対向することができ、これは、断熱装置２０１０の開閉時にユーザによって把持するために使用されることができ、ユーザがクロージャ２３１１を開閉するのをより容易にすることができる。キャリーハンドル２３１８はまた、断熱装置２０１０を懸架するすため、または断熱装置２０１０を運搬するために使用されてもよいが、他の用途も想定される。
【００６７】
図１４Ａは、断熱装置２０１０の側断面図を示している。断熱装置２０１０は、内側ライナ２５００、断熱層２５０２、および外側シェル２５０１を含む。図１４Ａに示すように、上記例と同様に、断熱層２５０２は、内側ライナ２５００と外側シェル２５０１との間に配置されることができ、低温または高温に保ちたい内容物を保管するためにレセプタクル２５０４の内部温度を維持するのを助ける発泡断熱体として形成されることができる。また、断熱層２５０２は、内側ライナ２５００と外側シェル２５０１との間に配置されることができ、内側ライナ２５００と外側シェル２５０１との間に浮遊するように内側ライナ２５００または外側シェル２５０１のいずれかに取り付けられなくすることができる。一例では、内側ライナ２５００および外側シェル２５０１は、断熱層２５０２が内側ライナ２５００および外側シェル２５０１によって形成されたポケット内で自由に浮遊することができるように、断熱装置２０１０の上部において接続されることができる。
【００６８】
この例では、内側層または内側ライナ２５００は、第１の内側ライナ側壁部分２５００ａおよび下部内側ライナ部分２５００ｂから形成されることができる。第１の内側ライナ側壁部分２５００ａおよび下部内側ライナ部分２５００ｂは、例えば溶接によって共に固定されてチャンバ２５０４を形成することができる。上記例と同様に、チャンバ２５０４は、内容物を保管するための「ドライバッグ」または容器とすることができる。一例では、ＴＰＵテープなどのテープは、第１の内側ライナ側壁部分２５００ａおよび下部内側ライナ部分２５００ｂが共に固定または接合された後、チャンバ２５０４のセクションを接合するシームにわたって配置されることができる。テープは、第１の内側ライナ側壁部分２５００ａと下部内側ライナ部分２５００ｂとの間に形成されたシームをシールして、液体がチャンバ２５０４に出入りするのを防ぐために液体に対する追加の障壁を提供する。したがって、内側ライナ２５００は、断熱装置２０１０のチャンバ２５０４内に液体を維持するか、または液体内容物が断熱装置２０１０のチャンバ２５０４に入るのを防ぐことができる。しかしながら、内側ライナ２５０４は、外側シェル内に固定されることができる一体型ワンピース構造として形成されることができることもまた想定される。
【００６９】
図１４Ａおよび図１５の双方に示すように、断熱層２５０２は、第１の部分または上部分２５０２ａ、第２の部分またはベース部分２５０２ｂ、およびベース支持層２５０５から形成されることができる。さらに、第１の部分２５０２ａは、上部フラップまたはより小さな矩形形状２５０２ａ１を含むことができる。折り畳み式フラップ２３０７が断熱装置２０１０の上部に折り畳まれると、断熱層の上部フラップ２５０２ａ１は、第１の部分２５０２ａおよびベース部分２５０２ｂの残りとともに、断熱装置２０１０の内部チャンバ２５０４に最大量の断熱を提供するように断熱を有して内部チャンバ２５０４の実質的に全てを囲む。
【００７０】
上部２５０２ａが平坦に巻かれると、断熱層２５０２の上部２５０２ａは、一般に、断熱層が第１の高さＨ１および第２の高さＨ２を画定するように「Ｔ」字型に似ており、第１の高さＨ１は、第２の高さＨ２よりも大きい。この例では、断熱層の大部分は、第１の高さＨ１よりも低い第２の高さＨ２まで延在することができる。また、第１の部分２５０２ａは、２つの相互接続された矩形形状から形成されることができ、第１の部分２５０２ａの下部は、第１の大きい矩形形状２５０２ａ２を形成し、第１の部分２５０２ａの上部セクションは、小さい矩形形状の上部フラップ２５０２ａ１を形成する。また、第１の大きい矩形形状２５０２ａ２は、小さい矩形形状２５０２ａ１とは別個の部品として形成されることができることも想定される。第１の矩形形状２５０２ａ２は、第１の矩形幅を有することができ、第２の矩形形状２５０２ａ１は、第２の矩形周囲を有することができ、第１の矩形形状２５０２ａ２の幅は、第２の矩形形状２５０２ａ１の周囲に近い。一例では、より小さな矩形形状２５０２ａ１は、折り畳み部分２３０７内に延在する上部２５０２ａの断熱層の上部フラップを形成する。
【００７１】
第１の部分２５０２ａおよび第２の部分２５０２ｂは、本明細書で論じられるように断熱発泡材料から形成されることができる。一例では、第２の部分２５０２ｂは、第１の部分２５０２ａよりも厚い発泡材料から形成されることができる。例えば、第２の部分２５０２ｂの厚さは、２０ｍｍから５０ｍｍの厚さで形成されることができ、１つの特定の例では、３８ｍｍの厚さの発泡体から形成されることができ、第１の部分２５０２ａは、１５ｍｍから３０ｍｍの間で形成されることができ、特定の一例では、２５ｍｍの厚さの発泡体から形成されることができる。一例では、発泡体は、ＮＢＲ／ＰＶＣブレンド発泡体、ＰＶＣを含まないＮＢＲ発泡体、または他の環境に優しい種類の発泡体とすることができる。
【００７２】
また、図１５に示されるように、ベース支持層２５０５は、ベース２２１５における断熱装置２０１０の断熱および構造的完全性を追加する。ベース支持層２５０５はまた、断熱装置２０１０の下部の周りに追加の保護を提供することもできる。一例では、ベース支持層２５０５は、ＥＶＡ発泡体から形成されることができる。ベース支持層２５０５は、材料に直接成形またはエンボス加工されることができるロゴまたは名称などの特定のデザインを含むことができる。断熱装置２０１０への構造的完全性および支持を提供するベース支持隆起２４００はまた、ベース支持層２５０５に直接成形またはエンボス加工されることもできる。一例では、ベース支持層２５０５およびベース部分２５０２ｂは、組み立てステップの数を減らす際の組み立てを容易にするために、分離または固定解除されることができる。ベース部分２５０２ｂは、上部部分２５０２ａの開放形状によって形成された下部開口２５０６を閉鎖する楕円形として形成されることができる。
【００７３】
第１の部分２５０２ａの下部は、楕円円筒形に折り畳まれ、内側ライナ２５００と外側シェル２５０１との間に配置されたときにその形状を維持する。断熱層２５０２は、その形状を維持し、断熱装置２０１０の基本的な楕円円筒形をもたらす。
【００７４】
外側シェル２５０１は、上部側壁部分２５０１ａ、下部側壁部分２５０１ｂ、およびベース部分２５０１ｃから形成されることができる。上部側壁部分２５０１ａ、下部側壁部分２５０１ｂ、ベース部分２５０１ｃのそれぞれは、縫合により固定されることができる。溶接または接着剤を使用するなど、他の固定方法も想定される。
【００７５】
さらに、折り畳み部分２３０７は、少なくとも部分的に発泡体を含まず、締結機構２３０１を閉じることをより容易にすることができる。特に、折り畳み部分２３０７は、第１のセクション２３０７ａおよび第２のセクション２３０７ｂを含むことができる。第１のセクション２３０７ａは、断熱層２５０２を含まないことができ、第２のセクションは、断熱層２５０２を含むことができる。
【００７６】
図１４Ｂを参照すると、上記例と同様に、クロージャ２３１１は、裏材または布地に取り付けられることができる。ジッパーの場合、これは、ジッパーテープ２３０６と呼ばれることができる。また、上記例と同様に、ジッパーテープ２３０６は、内側ライナ２５００と外側シェル２５０１との間に取り付けられることができ、特に、ジッパーテープ２３０６は、外側シェルの上部側壁部分２５０１ａと第１の内側ライナ側壁部分２５００ａに固定されることができる。図１４Ｂに示すように、ジッパーテープ２３０６、外側シェルの上部側壁部分２５０１ａ、および第１の内部ライナ側壁部分２５００ａは、ジッパーテープ２３０６が外側シェルの上部側壁部分２５０１ａと第１の内側ライナ側壁部分２５００ａとの間に位置する挟持構造の積層配置を形成することができる。
【００７７】
断熱装置２０１０は、上述した例に関連して同様の技術を使用して形成されることができる。例えば、外側シェル２５０１の上部側壁部分２５０１ａが形成されることができる。また、ベース２２１５は、本明細書で論じられる技術に従って、断熱層２５０２のベース部分２５０２ｂ、ベース支持層２５０５、下部側壁部分２５０１ｂ、および外側シェル２５０１のベース部分２５０１ｃと別個に形成されることができる。ベース２２１５は、本明細書で論じられる技術を使用して、外側シェル２５０１の上部側壁部分２５０１ａの下部に固定されることができる。断熱層２５０２の上部２５０２ａは、外側シェル２５０１の上部側壁部分２５０１ａ内に配置されることができる。そして、第１の内側ライナ側壁部分２５００ａおよび下部内側ライナ部分２５００ｂが固定され、内側ライナ２５００およびチャンバ２５０４を形成することができる。ＴＰＵテープなどのテープは、内側ライナ２５００およびチャンバ２５０４のセクションを接合するシームにわたって配置されることができる。そして、内側ライナ２５００は、断熱層２５０２内に配置されることができる。そして、クロージャ２３１１は、内側ライナ側壁部分２５００ａと上部側壁部分２５０１ａとの間に取り付けられることができる。プロセスのこの時点で、断熱装置２０１０のアセンブリは、上部が開放した円筒形を有する。開放した上部を閉鎖するために、内側ライナの側壁部分２５００ａおよび上部側壁部分２５０１ａの上端は、溶接によってまたは断熱装置２０１０を形成するために本明細書に記載の技術のいずれかを使用して共に固定されることができる。結合材２ｏが断熱装置２０１０の上部に適用され、外側シェル２５０１と内側ライナ２５００との間のシームを覆い隠すことができる。ループパッチ（図示せず）、キャリーハンドル２２１０、肩部ストラップ２２１８、ウェビングループ２２２４、およびリング２２１４は、外側シェルの形成後または断熱装置２０１０が形成されると、本明細書に記載の様々な技術によって外側シェル２５０１に追加されることができる。内側ライナおよび外側ライナは、溶接、接着、または縫合およびそれらの組み合わせによって形成されることができることが想定される。
【００７８】
他の例では、折り畳み部分２３０７を断熱装置２０１０の本体に固定するために、磁気接続が実装されることができる。図１６Ａおよび図１６Ｂに示すように、断熱装置２０１０は、断熱装置２０１０の側壁上の対応する磁石（図示せず）によって受け取られることができる磁気クリップ３３１３を備えることができる。しかしながら、断熱装置２０１０上のクリップおよびクリップ受け取り部分は、永久磁石、金属ストリップ、または強磁性材料のうちの１つ以上とすることができることもまた想定される。さらに、前向きクロージャ２３１１上に折り畳み式フラップ２３０７を固定する他の方法も想定される。例えば、フックアンドループ、バックル、スナップ、ジッパー、戻り止め、ばね式戻り止め、ボタン、カム、またはねじ山のうちの１つ以上が使用され、折り畳み式フラップ２３０７を断熱装置２０１０の側壁に固定することができる。
【００７９】
図１７〜図２２は、他の例示的な断熱装置４０１０を示している。例示的な断熱装置４０１０は、上記例、および特に、図１１〜図１６Ｂに関連して上述した例と同様の構成とすることができ、同様の参照符号は、同じまたは同様の機能を有する同様の特徴を表す。この例では、断熱装置４０１０は、折り畳み式フラップを含まず、例示的な断熱装置２０１０とは異なる全体形状を含むことができる。さらに、断熱層４５０２は、以下で論じられる他の変形例とともに、異なる構成を有することができる。上記例と同様に、クロージャ４３１１は、断熱装置４０１０の前面または壁に配置されることができる。
【００８０】
図１８および図１９に示されるように、正面および背面から見た場合、断熱装置４０１０は、一般に、台形形状を形成することができ、断熱装置は、断熱装置４０１０の上部に向かって上向きに分岐するかまたは先細になる。台形形状は、特定の断熱、ユーザのアクセス性、およびパッケージングの利点を提供することができる。例えば、台形形状は、台形形状に起因して外側シェル４５０１と内側ライナ４５００との間に配置されることができる追加の発泡体のために、長期間の氷被覆を提供することができる。
【００８１】
さらに、断熱装置４０１０の全体的な形状は、クロージャ４３１１が開放位置にあるときに断熱装置４０１０を開放位置に維持するのに役立つことができ、ユーザが断熱装置４０１０の内容物に容易にアクセスすることを可能にする。本明細書で論じられる台形形状はまた、クロージャ４３１１が断熱装置４０１０に対してより長く形成されることを可能にする。断熱装置４０１０の上部に拡張された開口を可能にする他の形状も想定される。例えば、断熱装置４０１０の上部は、断熱装置４０１０の上部を横切って延在するより大きなクロージャを可能にするために、上方または下方のいずれかに延長された湾曲によって形成されることができる。また、図２０に示すように、側面から見た場合、断熱装置４０１０は、側面が断熱装置４０１０の上部に収束するように、一般に、円錐形、先細または漏斗状に形成されることができる。また、側面は、特定の例では、形状が実質的に放物線状に形成されることができる。したがって、断熱装置４０１０は、断熱装置４０１０の下部と同じ周囲長を有する楕円形ではなく、断熱装置４０１０の頂部に沿って頂点に収束する。
【００８２】
特定の例では、台形形状はまた、いくつかの断熱装置４０１０が輸送用容器に適合されることができるという点で、容易に輸送されることができる断熱装置４０１０を提供することができる。例えば、輸送用容器内でより多くのスペースを利用するために、複数の断熱装置４０１０が輸送用容器内に異なる向きで配置されることができる。
【００８３】
代替実施形態では、クロージャ４３１１が開放位置または開封位置にあるとき、断熱装置４０１０の内容物は、クロージャ４３１１を開放位置に維持して、断熱装置４０１０の内容物へのアクセスをより容易にすることができる。この例では、ユーザが断熱装置４０１０の内容物をよりよく見ることができ且つ断熱装置４０１０に対して内容物をより容易に取り外したりまたは追加したりすることができるように、内容物の重量は、クロージャ４３１１の下半分をクロージャ４３１１の上半分から離れるように強制することができる。
【００８４】
この例では、外側シェル構造、断熱層、および内側ライナ構造は、図１１〜図１６Ｂに関連して上述した実施形態のものと同様とすることができ、その詳細はここでは繰り返されない。外側シェル４０１０はまた、その中にクロージャ４３１１を受け入れるように構成された上部４３１６を含むことができる。上部４３１６は、特定の一例では、ナイロン、具体的にはＴＰＵを有する８４０ｄナイロンとすることができる、残りの外側シェル４５０１と同じ材料から形成されることができる。
【００８５】
図１１〜図１６Ｂに関して説明した例と同様に、断熱装置４０１０は、上記例のように、キャリーハンドル４２１０と、肩部ストラップ４２１８と、ねじ山４２２２、リング４２１４によって形成されるウェビングループ４２２４と、同様の特徴および機能を有することができる取り付け点４２１３とのうちの１つ以上を備えることができる。さらに、後部キャリーハンドル４３１８は、断熱装置４０１０の背面に設けられ、クロージャ４３１１と対向することができ、これは、断熱装置４０１０の開閉時にユーザによって把持するために使用されることができ、ユーザがクロージャ４３１１を開閉するのをより容易にすることができる。後部キャリーハンドル４３１８はまた、内部チャンバ４５０４を乾燥させるために断熱装置４０１０を懸架するため、または断熱装置４０１０を運ぶために使用されることができる。キャリーハンドル４２１０、肩部ストラップ４２１８、ウェビングループ４２２４、および取り付け点４２１３のそれぞれは、ウェビングまたは適切なポリマー材料の形態の追加の構造のうちの１つ以上によって補強されることができる。この補強材料は、本明細書に記載の例のいずれにも適用されることができる。
【００８６】
また、図１７および図２１に示されるように、外側シェル４５０１を内側ライナ４５００に固定するために、断熱装置４０１０の上部にわたって延在する結合材４５１８が含まれることができる。結合材４５１８は、断熱装置４０１０の頂部を覆って折り畳まれた後、外側シェル４５０１および内側ライナ４５００を覆って縫合され、内側ライナ４５００と外側シェル４５０１との間の接合部またはシームへのカバーを形成することができる。図１８に示すように、結合材４５１８は、３分の１に折り畳まれ、第１の折り畳み部分４５１８ａを形成することができ、最初の３分の１は、断熱装置４０１０の第１の側面に取り付けられ、２番目の３分の１は、断熱装置４０１０の頂部にわたって延在し、最後の３分の１は、断熱装置４０１０の第２の側面に取り付けられる。結合材４５１８は、断熱装置４０１０の頂部に沿って外側シェル４５０１と内側ライナ４５００との間のシームを覆う。また、図１７に示すように、結合材４５１８は、断熱装置４０１０の頂部から延在しており、結合材４５１８が半分に折り畳まれている第２の折り畳み部分４５１８ｂと、リング４２１４を受け入れる取り付け点４２１３を形成して延在する第３の折り畳まれていない部分４５１８ｃとを形成する。断熱装置４０１０が２つの第２の折り畳み部分４５１８ｂおよび２つの第３の折り畳み部分４５１８ｃを含むことができるように、断熱装置４０１０の各側は、第２の折り畳み部分４５１８ｂおよび第３の折り畳み部分４５１８ｃを含むことができる。結合材４５１８は、取り付け点４２１３の近くで展開することができ、また、取り付け点４２１３から断熱装置４０１０の頂部まで展開されて形成されてもよい。これらの構成のいずれかにおいて、結合材４５１８の一部、例えば、第２の折り畳み部分４５１８ｂは、断熱装置４０１０に取り付けられておらず、折り畳み部分４５１８ａと取り付け点４２１３との間にストラップを形成することができる。この例では、２つのストラップが２つの第２の展開部分４５１８ｂによって形成されることができ、断熱装置を取り扱うためにユーザによって把持されることができ、乾燥のために断熱装置４０１０を懸架するためなどに使用されることができる。また、結合材４５１８によって形成される取り付け点４２１３は、リング４２１４を受け入れるためのループまたはスロットとすることができる。
【００８７】
図２２および図２２Ａは、断熱層４５０２をさらに詳細に示しており、これは、上述した例示的な断熱装置４０１０と同様であり、同様の参照符号は、同じまたは同様の機能を有する同様の構成要素を表す。断熱層４５０２は、本明細書で論じられるような材料から形成されることができ、特定の例では、ＰＶＣを含まなくすることができ、および／または発泡体が完全に弾力性であるように非熱硬化性を有することができる。上記例と同様に、断熱層４５０２の上部４５０２ａは、内側ライナ４５００と外側シェル４５０１との間の開口によって画定される形状に巻かれた単一のシート材料から形成されることができる。図２２に示すように、断熱層４５０２は、上記例と同様に、第１の部分または上部４５０２ａおよび第２の部分またはベース部分４５０２ｂから形成されることができる。後部上部フラップ４５０２ａ１は、より小さな矩形形状に形成されることができる。後部上部フラップ４５０２ａ１は、前向きクロージャ４３１１に対応するように断熱層４５０２ａの第１の部分４５０２ａの前側よりも高く延在している。具体的には、後部上部フラップ４５０２ａ１は、第１の高さＨ３まで延在することができ、第１の部分４５０２ａは、第２の高さＨ４まで延在することができ、第１の高さＨ３は、第２の高さＨ４よりも高くすることができる。さらに、図２２に示すように、断熱層４５０２の大部分は、第２の高さＨ４まで延在することができる。あるいは、図２２Ａに示すように、断熱層４５０２の後半分は、第１の高さＨ３まで延在することができ、断熱層４５０２の前半分は、第２の高さＨ４まで延在することができる。さらに、図２２Ａに示すように、断熱層４５０２は、第１の高さＨ３から第２の高さＨ４まで先細りすることができる。また、これは、上部の近くの断熱層４５０２の領域に断熱装置４０１０の側面に沿った先細りまたは面取り部分を提供し、断熱装置４０１０の各側面により小さなプロファイルを提供する。
【００８８】
一例では、第１の部分４５０２ａは、第１の領域Ａ１を画定することができ、後部上部フラップ４５０２ａ１は、第１の領域Ａ１よりも小さい第２の領域Ａ２を画定することができる。内側ライナ４５００と外側シェル４５０１との間に設置される場合、断熱層４５０２は、一般に、断熱装置４０１０の外形の円錐形および台形形状にしたがう。さらに、外側シェル４５０１および内側ライナ４５００の上向き先細り外形は、断熱層が内側ライナ４５００の大部分を覆うように断熱層４５０２を配置するのを助けることができる。
【００８９】
特に、図２１に示されるように、断熱層４５０２は、内側ライナ４５００と外側シェル４５０１との間に形成された空間の大部分を占める。断熱層４５０２は、断熱装置４０１０の前部および後部の双方において、断熱装置４０１０の実質的に上部まで延在して、区画４５０４の大部分を断熱する。結果として、断熱層４５０２は、実質的に内側チャンバ４５０２の全体を囲み、断熱装置２０１０の内側チャンバ４５０４に対して最大量の断熱を提供する。一例では、断熱層４５０２は、内側チャンバ４５０４を覆う内側ライナ４５００の８０％以上を覆い、特定の例では、断熱層４５０２は、内側チャンバ４５０４を覆う内側ライナ４５００の８５％、９０％、または９５％以上を覆う。
【００９０】
図１１〜図２２に関連して説明された例では、前向きクロージャ２３１１、４３１１は、それらが断熱装置２０１０、４０１０の前向き表面に沿って経路の大部分に延在するように形成されることができる。上述したように、前向きクロージャ２３１１、４３１１は、本明細書に記載の例に従ってジッパークロージャとして形成されることができる。一例では、クロージャ２３１１、４３１１は、実質的に防水性または非常に耐水性とすることができ、水密および気密とすることができる。前向きクロージャ２３１１、４３１１は、断熱装置２０１０、４０１０の前向き表面にできる限り長く形成されて、断熱装置２０１０、４０１０に保管された内容物の拡張されたユーザアクセス性および可視性を提供することができる。一例では、クロージャ２３１１、４３１１は、第１の長さＬ１を画定することができ、断熱装置４０１０の上部は、第２の長さＬ２を画定することができる。
【００９１】
一例では、Ｌ２は、Ｌ１よりも３ｃｍから１０ｃｍ長くすることができ、前向きクロージャ２３１１、４３１１の長さは、１つの特定の例では、前向きクロージャ２３１１、４３１１よりも５ｃｍ長くすることができる。クロージャ２３１１、４３１１の第１の長さＬ１は、第２の長さＬ２の少なくとも８０％および第２の長さＬ２の９８％まで延在することができる。特定の一例では、クロージャ２３１１、４３１１の長さＬ１は、第２の長さＬ２の８７％にわたって延在することができる。
【００９２】
さらに、前向きクロージャ２３１１、４３１１の長さＬ１は、断熱装置２０１０、４０１０のベースの長さＬ３よりも長く形成されることができる。特定の例では、前向きクロージャ２３１１、４３１１は、断熱装置４０１０のベースの長さＬ３よりも約１％から２５％長く形成されることができる。１つの特定の例では、前向きクロージャ２３１１、４３１１の長さＬ１は、ベースの長さＬ３よりも１０％長くすることができる。例えば、前向きクロージャの長さＬ１は、断熱装置のベースの長さＬ３よりも３ｃｍから１２ｃｍ長く形成されることができ、特定の一例では、前向きクロージャ２３１１、４３１１の長さＬ１は、ベースの長さＬ３よりも５ｃｍ長くすることができる。
【００９３】
さらに他の実施形態では、断熱装置は、上述したように、断熱装置の周囲全体または周囲の大部分の周りに延在するクロージャと、前向きクロージャ２３１１、４３１１とを含むことができる。この特定の例では、頂部の全体または大部分が除去されると、またはクロージャ２３１１、４３１１を介して、断熱装置の内容物は、ユーザによって容易にアクセスされることができる。
【００９４】
他の例では、断熱装置は、上部および／または下部が取り外され且つ複数の構造が相互接続されて、より大きいまたはより小さい断熱装置を形成することができるように、モジュール式に形成されることができる。例えば、断熱装置は、スナップ、ジッパー、糸、シール、フックアンドループなどの取り外し可能なファスナによって異なるセクションから形成されることができる。
【００９５】
本明細書に記載の例に関連して、断熱装置の外側シェルに沿って一連の通気孔が設けられることができる。通気孔は、内側ライナと外側シェルとの間に閉じ込められているいかなるガスも逃がす。通気孔がないと、内側ライナと外側シェルとの間に閉じ込められたガスは、断熱装置を膨張させる可能性があり、場合によっては、これが望ましくないことがある。特定の例では、外側シェルの様々な部分を接続する１つ以上の接合部またはシームは、ガスの通気孔を提供する。通気孔は、外側シェルの布地が穿刺されている外側シェルの領域に設けられることができる。例えば、小さな開口は、様々な構成要素が断熱装置上に配置される縫合位置のいずれかに設けられることができる。具体的には、通気孔は、ハンドル、モールループ、ストラップ、補強パッチ、結合材、Ｄリング、ループパッチなどが断熱装置の外側シェルに取り付けられている領域に設けられることができる。例えば、これらの構成要素を外側シェルに固定するために使用されることができる縫合は、外側シェルに開口を提供し、これは、断熱層と外側シェルとの間に通気孔を形成する。１つの特定の例では、断熱装置は、結合材４５１８を介して通気することができる。
【００９６】
例示的な断熱装置４０１０は、氷の保持を判定するために試験された。したがって、氷保持試験が利用され、例示的な断熱装置４０１０の断熱特性を判定することができる。例示的な試験では、断熱装置４０１０が氷によって満たされたときの０°Ｆから５０°Ｆへの増加の持続時間は、以下の試験パラメータに従って判定された。特定の例では、断熱装置の温度は、２４時間から４８時間で１０°Ｆから３２°Ｆまで上昇し、断熱装置の温度は、３６時間から６８時間で３２°Ｆから５０°Ｆまで上昇し、断熱装置の温度は、７０時間から９０時間で０°Ｆから５０°Ｆまで上昇する。
【００９７】
氷の保持は、以下の試験を使用して試験された。試験の２４時間以上前に、以下のステップが実行される。
・  試験クーラーが内側も外側もきれいであることを確認する。
・  試験ログまたはメモにおける固有の識別子およびレコード識別子ならびに説明によって試験クーラーをマークする。
・  ダクトテープを使用して、試験クーラー（Ｃ）のほぼ中央に熱電対（Ｔ）を配置する。
・  熱電対の先端は、クーラーの床から約１インチ上にある必要がある。（適切な熱電対設定の例については、図２３を参照されたい。）
・  蓋を開放した状態で試験クーラーを内部（周囲温度６５〜７５°Ｆ）に最低２４時間保持することによって試験クーラーを調整する。
・  以下の式を使用して、試験に必要な氷の量（０．１ｌｂｓ近くまで）を計算する。
ｏ  クーラーあたりの氷＝０．５２ｌｂｓ×クーラーの４分の１の容量
ｏ  必要な氷＝クーラーあたりの氷×クーラーの数
・  使用前に最低２４時間、氷を冷凍庫（−１５から−５°Ｆ）に入れることによって氷を調整する。
【００９８】
試験の日に、以下のステップが実行される：
・  試験機器を収集する
・  サーマルチャンバを１００°Ｆの温度に到達させる
・  秤量−はかりを冷凍庫の近くに置いて氷を試験する
・  データロガー−データロガーがバッテリを充電していることを確認する
【００９９】
試験手順は、以下のとおりである：
・  試験クーラーを試験氷を有する冷凍庫に持っていく。
・  はかりに試験クーラーを置き、はかりを風袋引きする。
・  ハンマーによって試験氷を破壊する。
・  参照としてはかりを使用して、必要な量の氷によって試験クーラーを素早く満たす。
・  氷が試験クーラー全体に均一に分布していることを確認する。
・  熱電対のコネクタ端部が試験クーラーの外側にあることを確認し、クーラーの蓋を閉じて固定する。
・  残りの試験クーラーについてもステップを繰り返す。
・  それらが全て均一な直射日光および空気流の量を有するようにクーラーを試験領域に配置する（１つのクーラーが他のクーラーを遮らない）。
・  全ての熱電対をデータロガーに接続する。
・  全ての熱電対の読み取り値をチェックして、全ての接続が完了してチャネルが正しく記録されていることを確認する。（注意：各試験クーラー内の開始温度は、１０°Ｆ未満である必要がある）。
・  データロガーの電源を入れ、１０分未満の間隔で記録された温度で記録するように設定する。
・  記録を開始し、時間を試験ログに記録する。
・  各試験クーラーの内部温度が５０°Ｆ以上になるまで試験を継続する。
・  記録を停止する。
・  データロガーから熱電対を取り外す。
・  データロガーからデータを受信する。
・  試験領域から試験クーラーを取り外す。
・  試験クーラーを空にして乾燥させる。
・  試験クーラーから熱電対を取り外す。
【０１００】
断熱装置２０１０、４０１０の熱利得率は、約０．５から１．５ｄｅｇＦ／ｈｒとすることができ、特定の一例では、熱利得率は、約１．０ｄｅｇＦ／ｈｒとすることができる。
【０１０１】
上記例と同様に、断熱装置２０１０および４０１０の機能もまた、内部の漏れに耐えるように構成されており、断熱装置２０１０、４０１０が保管区画またはレセプタクル２５０４、４５０４に保管された内容物をどの程度うまく維持するかを確認するために試験された。１つの例示的な試験では、断熱装置２０１０、４０１０は、水などの液体によって満たされることができ、そして、所定の期間にわたって反転されて、あらゆる水分漏れについて試験されることができる。この例では、断熱装置２０１０、４０１０は、レセプタクル４５０４の容積の約半分が満たされるまで、例えば３ガロンの水などの液体によって満たされ、そして、クロージャ２３０１、４３０１が完全に閉じられる。次に、断熱装置２０１０、４０１０の全体が反転され、３０分間反転保持される。次に、断熱装置２０１０、４０１０は、いかなる漏れについても調べられる。
【０１０２】
断熱装置２０１０、４０１０は、いかなる水もレセプタクル２５０４、４５０４から漏れたり出たりすることなく、３０分間反転保持されることに耐えるように構成されることができる。代替の例では、断熱装置２０１０、４０１０は、いかなる水もレセプタクル２５０４、４５０４から漏れたり出たりすることなく、１５分から１２０分の間反転保持されることに耐えるように構成されることができる。
【０１０３】
図２４〜図３２は、他の例示的な断熱装置３０１０を示している。例示的な断熱装置３０１０は、上記例と同様の構成とすることができ、同様の参照符号は、同様の機能を有する同様の特徴を表す。この例では、図２４〜図２６および図３２からわかるように、クロージャ３３１１および開口３５１２は、断熱装置３０１０の第１の側壁３５０７Ａ、第２の側壁３７０５Ｂ、および第３の側壁３５０７Ｃを通って、且つ部分的に第４の側壁３５０７Ｄを通って形成される。さらに、開口３５１２は、図２９Ａおよび図３２に示されるように、内部チャンバ３５０４へのアクセスを提供するように構成される。上記例と同様に、クロージャ３３１１は、断熱装置３０１０が任意の向きにあるときに液体が開口３５１２から出るのを防ぐように、実質的に防水性とすることができる。
【０１０４】
図２９Ａの断面図に示されるように、例示的な断熱装置３０１０は、一般に、共に断熱装置３０１０の３つの主要構成要素である内側ライナ３５００、断熱層３５０２、および外側シェル３５０１を形成する本体アセンブリ３３５０および蓋アセンブリ３３００を含む。内側ライナ３５００は、一例では、二重積層ＴＰＵナイロン布から形成されることができ、断熱層３５０２は、一例では、ＮＢＲ／ＰＶＣ発泡体ブレンドまたは任意の他の適切なブレンドもしくは発泡体から形成されることができ、外側シェル３５０１は、一例では、ＴＰＵナイロン布から形成されることができる。また、内側ライナおよび外側シェル３５０１は、ＰＶＣ、ＴＰＵコーティングされたナイロン、コーティングされた布、および他の溶接可能なおよび／または防水布のうちの１つ以上から形成されることができることが想定される。
【０１０５】
図２４〜図２６に示されるように、クロージャ３３１１は、本体アセンブリ３３５０と蓋アセンブリ３３００との間に延在して、本体アセンブリ３３５０および蓋アセンブリ３３００を水から実質的にシールする。さらに、図２９Ａに示されるように、蓋アセンブリ３３００は、リビングヒンジ３５０３を形成する外側シェル３５０１によって本体アセンブリ３３５０に接続されることができる。一例では、リビングヒンジ３５０３は、外側シェル３５０１および／または内側ライナ３５００の一部として、特に外側シェル３５０１および／または内側ライナ３５００の材料の柔軟な性質から形成され、断熱装置３０１０のより大きな開口を提供することができる。リビングヒンジ３５０３はまた、内側ライナ材料または他の防水材料から形成されることができる、内側布片３５０３Ａによって補強されることができる。このようにして、チャンバ３５０４および断熱装置３０１０の内容物は、クロージャ３３１１を開放し、蓋アセンブリ３３００を折り返すかまたは開放することによってアクセスされることができる。
【０１０６】
この例では、断熱装置３０１０は、直方体またはプリズムの形状とすることができる。例えば、外側シェル３５０１、断熱層３５０２、および内側ライナ３５００は、直方体の第１の側壁３５０７Ａ、第２の側壁３５０７Ｂ、第３の側壁３５０７Ｃ、および第４の側壁３５０７Ｄを画定する。また、蓋アセンブリ３３００は、上壁３３００ａを形成し、ベース３２１５は、直方体を囲むための底壁３２１５ａを形成する。しかしながら、断熱装置３０１０の内容物は、断熱装置の上部に形成された開口３５１２を介してアクセスされ、同様に第１の側壁３５０７Ａ、第２の側壁３５０７Ｂ、第３の側壁３５０７Ｃのそれぞれを通って延在し、第４の側壁３５０７Ｄを部分的に通って延在することができる。断熱装置３０１０には、例えば、円筒形、球形、円錐形、ピラミッド形、切頭円錐形、切頭球形、切頭角錐形などの他の形状も想定される。断熱装置３０１０の高さは、一例では、１５ｃｍから５０ｃｍの範囲とすることができ、特定の一例では、２９ｃｍとすることができる。断熱装置３０１０の長さは、１５ｃｍから５０ｃｍの範囲とすることができ、特定の一例では、３２ｃｍとすることができる。また、断熱装置の幅は、一例では、１５ｃｍから５０ｃｍの範囲とすることができ、特定の一例では、２５．５ｃｍとすることができる。断熱装置３０１０の保管容量は、１０から１５クォートとすることができ、特定の一例では、１２．７クォートとすることができる。しかしながら、断熱装置３０１０は、これらの開示の範囲から逸脱することなく、任意の高さ、長さ、幅および容積の寸法を含むことができることが想定される。
【０１０７】
上記例と同様に、断熱装置３０１０は、１つ以上のハンドル３２１０、３２１２、リング３２１４、および例えば、ストラップ（ショルダー）、カラビナ、ドライバッグ、鍵、収納ケースなどの様々な物品を取り付けるためのウェビングループ３２２４を含むことができる。リング３２１４は、Ｄリングとすることができ、肩部ストラップ（図示せず）は、断熱装置を容易に運ぶためにＤリングに接続されることができる。また、リング３２１４は、リング３２１４を受け入れるためのスロットも形成するループまたはストラップ３３１５ａを形成することができる取り付け点３２１３において断熱装置３０１０に取り付けられることができる。断熱装置はまた、外側シェルの外面上のどこにでも、側面、前部および／または後部のキャリーハンドル、ポケット、タイダウン、およびＤリングを含むことができる。ポケットは、鍵、電話、財布などを収納できるサイズとすることができ、防水性を有して形成されることができる。ポケットはまた、内容物が濡れるのを防ぐために防水ジッパーを含むこともできる。
【０１０８】
同様に、上記例と同様に、外側シェル３５０１はまた、任意のハンドル、ストラップ、およびウェビングループ（例えば、３２１０、３２１２、３２１３、３２１４、および３２２４）を構造的に支持するのを助けるように構成された複数の補強領域またはパッチ０を含むことができる。
【０１０９】
ハンドルまたはストラップ（例えば、３２１０、３２１２、３２１３、３２１４、および３２２４）およびその他のアタッチメントは、糸３２２２を使用してパッチに縫合されることができる。特定の例では、これらの糸３２２２は、外側シェル３５０１を通って断熱層３５０２内に延在していない。任意のハンドルまたはストラップは、パッチ３３２０に縫合されることができ、パッチ３３２０は、外側シェル３５０１にＲＦ溶接されることができる。また、他の例では、パッチ３３２０は、外側シェル３５０１に縫合され、または接着されることができる。縫合作業からの開口は、断熱装置３０１０の外側シェル３５０１および内側ライナ３５００によって画定される内部への通気を提供することができる。さらに、ハンドルまたはストラップを断熱装置３０１０に固定するために他の技術が想定される。
【０１１０】
断熱装置３０１０、本体アセンブリ３３５０、および蓋アセンブリ３３００の内部構成要素は、図２９Ａの断面図で見ることができる。さらに、図２９Ｂは、蓋アセンブリ３３００の拡大断面図を示している。
【０１１１】
蓋アセンブリ３３００は、上部内側ライナ部分３５００Ａ、上部断熱層部分３５０２Ａ、および上部外部シェル部分３５０１Ａを含む。上部断熱層部分３５０２Ａは、蓋アセンブリ３３００の全体形状に対応する単一層の発泡体から形成されることができる。発泡体は、一例では、本明細書で論じられるように、本体アセンブリ３３５０において使用されるのと同じ発泡体とすることができ、且つ上部内側ライナ部分３５００Ａと上部外側シェル部分３５０１Ａとの間に取り付けられずに浮遊することができる断熱発泡体とすることができる。図２９Ｂに示されるように、上部内側ライナ部分３５００Ａは、バインダ３５１８に取り付けられた材料のシート３５００Ａ１および材料のストリップ３５００Ａ２から形成されることができる。他の実施形態では、材料のシート３５００Ａ１は、バインダ３５１８に直接接続することができ、したがって、材料のストリップ３５００Ａ２の必要性を排除する。材料のストリップ３５００Ａ２は、重なり合って材料のシート３５００Ａ１に溶接されることができる。シームテープ３５０９は、材料のシート３５００Ａ１と材料のストリップ３５００Ａ２との間の接続部にわたって配置されることができる。また、上部内側ライナ部分３５００Ａは、例えば、射出成形によって単一構造として形成されることができることが想定される。
【０１１２】
上部内側ライナ部分３５００Ａは、上部内側ライナストリップ材料３５００Ａ２をＲＦ溶接接合部３５２２において上部外側シェルストリップ材料３５０１Ａ３に接合することによって上部外側シェル部分３５０１Ａに接続されることができる。しかしながら、他の形態の溶接、縫合、接着剤、リベットなど、他の種類の固定方法が使用されることができることが想定される。さらに、さらに詳細に論じられるように、ストリップまたはバンドの形態の結合材料３５１８は、材料の上部内側ライナストリップ３５００Ａ２および材料の上部外側シェルストリップ３５０１Ａ３の端部にわたって縫合されることができる。結合材料３５１８は、複数のリベットによって、または１つ以上の接着剤を使用することによって、材料の上部内側ライナストリップ３５００Ａ２および材料の上部外側シェルストリップ３５０１Ａ３の端部にわたって結合されることができることも想定される。
【０１１３】
図２９Ａおよび図２９Ｂに示されるように、蓋アセンブリ３３００の上部外側シェル部分３５０１Ａは、２つの別個の層３５０１Ａ１、３５０１Ａ２と、２つの別個の層３５０１Ａ１、３５０１Ａ２に対して垂直に延在する材料の上部外側シェルストリップ３５０１Ａ３を含むことができる。材料の上部外側シェルストリップ３５０１Ａ３は、以下にさらに詳細に説明するように、一体で第１の外側シェルセクション３５０１Ｂ１に取り付けられることができる。例えば、材料の上部外側シェルストリップ３５０１Ａ３および第１の外側シェルセクション３５０１Ｂ１は、同じ材料から形成または切断されることができる。しかしながら、材料の外側シェルストリップ３５０１Ａ３および第１の外側シェルセクション３５０１Ｂ１は、別個の構造または異なる材料から形成されることもまた想定される。一例では、上層３５０１Ａ１は、ＴＰＵコーティングされたナイロンラミネートから形成されることができ、下層３５０１Ａ２は、圧縮成形されたＥＶＡ材料から形成されることができる。上部外側シェル部分３５０１Ａはまた、例えば、射出成形プロセスにおいて単一の材料片から形成されてもよい。
【０１１４】
図２９Ａおよび図２９Ｂに示されるように、結合材料３５１８は、蓋アセンブリ３３００を共に固定し、蓋アセンブリ３３００を本体アセンブリ３３５０に固定することができる。結合材料３５１８は、特定の例では、ストリップ、バンド、またはリボンから形成されることができ、ナイロンから作製されることができる。結合材料３５１８は、これらの開示の範囲から逸脱することなく、追加のまたは代替のポリマーから形成されることができることが想定される。具体的には、第１の外側シェルセクション３５０１Ｂ１は、蓋アセンブリ３３００の周囲に結合材料３５１８を縫合することにより、上部内側ライナ３５００Ａ、別個の層３５０１Ａ１、３５０１Ａ２、および上部外側シェル部分３５０１Ａの材料の上部外側シェルストリップ３５０１Ａ３とともに固定されることができる。したがって、縫合は、結合材料３５１８、下部外側シェル部分３５０１Ｂ、上部内側ライナ部分３５００Ａ、上層３５０１Ａ１、下層３５０１Ａ２および材料のストリップ３５００Ａ２を通って延在してシーム３５１７を形成する。
【０１１５】
溶接接合部３５２２はまた、蓋アセンブリ３３００を共に固定し、蓋アセンブリ３３００を本体アセンブリ３３５０に固定することができる。上記言及したように、ＲＦ溶接接合部とすることができる溶接接合部３５２２はまた、材料の上部内側ライナストリップ３５００Ａ２を材料の上部外側シェルストリップ３５０１Ａ３に接合することによって上部内側ライナ部分３５００Ａおよび上部外側シェル部分３５０１Ａを接続することによって蓋アセンブリ３３００を共に固定する。しかしながら、シーム３５２２は、縫合または接着剤によって形成されることができることも想定される。同様に、蓋アセンブリ３０７ａと本体アセンブリ３３５０とが共に固定されると、リビングヒンジ３５０３が蓋アセンブリ３３００と本体アセンブリ３３５０との間に形成される。
【０１１６】
蓋アセンブリ３３００および本体アセンブリ３３５０はまた、以下で論じられるように、一例では、ジッパーとすることができるクロージャによって接続される。具体的には、ジッパーテープ３３０６は、縫合、溶接、接着剤などによって、材料の上部外側シェルストリップ３５０１Ａ３と下部外側シェル部分３５０１Ｂの第１の外側シェルセクション３５０１Ｂ１との間に取り付けられることができる。このようにして、ジッパーテープ３３０６の上部３３０６ａおよび下部３３０６ｂは、蓋アセンブリ３３００および本体アセンブリ３３５０を共に固定する。
【０１１７】
再び図２９Ａを参照すると、本体アセンブリ３３５０は、下部内側ライナ部分３５００Ｂ、下部断熱層部分３５０２Ｂ、および下部外側シェル部分３５０１Ｂを含む。下部内側ライナ部分３５００Ｂは、上部ストリップ３５００Ｂ１、中間部分３５００Ｂ２、および下部部分３５００Ｂ３から形成されることができる。上部ストリップ３５００Ｂ１、中間部分３５００Ｂ２、および下部部分３５００Ｂ３は、シーム３５０８において共に溶接または縫合されることができる。シーム３５０８は、ＰＵ（ポリウレタン）などの防水性または耐水性の材料から形成されることができるシームテープ３５０９によって覆われることができる。しかしながら、シームテープ３５０９は、水を通さないが、ガスが内部チャンバ３５０４内から逃げることを可能にする通気性材料から形成されることができる。
【０１１８】
代替例では、下部内側ライナ部分３５００Ｂは、例えば射出成形によって単一の一体部品から形成されることができる。図３１は、射出成形プロセスによって形成される例示的な内側ライナ部分７５００Ｂを示している。この例では、下部内側ライナ部分７５００Ｂは、ウレタン、ＰＶＣ、ＴＰＵ、または他の溶接可能な材料のうちの１つ以上から形成されることができる。下部内側ライナ部分７５００Ｂは、下部断熱層が外側シェル内に配置された後、外側シェル上に所定の位置に溶接されることができる。
【０１１９】
再び図２９Ａおよび図３０を参照すると、下部断熱層部分３５０２Ｂは、第１の断熱材料シート３５０２Ｂ１および第２の断熱材料シート３５０２Ｂ２を含むことができる。上記例と同様に、断熱材料の第１のシート３５０２Ｂ１および断熱材料の第２のシート３５０２Ｂ２は、下部内側ライナ部分３５００Ｂまたは下部外側シェル部分３５０１Ｂのいずれにも取り付けられない断熱材料の自由浮遊層とすることができる。しかしながら、第１の断熱材料シート３５０２Ｂ１および第２の断熱材料シート３５０２Ｂ２は、下部内側ライナ部分３５００Ｂまたは下部外側シェル部分３５０１Ｂのいずれかに取り付けられることができることも想定される。さらに、下部断熱層部分３５０２Ｂは、単一の一体部品から形成されることも想定される。
【０１２０】
下部外側シェル部分３５０１Ｂは、いくつかのセクションから形成されることができる。この例では、下部外側シェル部分３５０１Ｂは、第１の外側シェルセクション３５０１Ｂ１、下部外壁セクション３５０１Ｂ２、第１のベース層３５０１Ｂ３、および第２のベース層３５０１Ｂ４を含むことができる。蓋アセンブリと同様に、第１のベース層３５０１Ｂ３は、ＴＰＵコーティングされたナイロンラミネートから形成されることができ、第２のベース層３５０１Ｂ４は、圧縮成形されたＥＶＡ材料から形成されることができる。下部外壁セクション３５０１Ｂ２、第１のベース層３５０１Ｂ３、および第２のベース層３５０１Ｂ４のそれぞれは、縫合、溶接、または接着剤によって共に接合されることができる。また、上記例と同様に、ベース支持隆起３４００は、第１のベース層３５０１Ｂ３および第２のベース層３５０１Ｂ４に形成され、断熱装置３０１０が表面上に配置されたときに、断熱装置３０１０に対する構造的完全性および支持を提供することができる。代替の例では、下部外側シェル部分３５０１Ｂは、単一の構成要素として形成されることができ、特定の例では、射出成形プロセスによって形成されることができる。
【０１２１】
上記例と同様に、クロージャ３３１１は、ジッパーとすることができ、実質的に防水性とすることができる。さらに、ジッパーは、この例では硬質プラスチックから形成されることができるプルタブまたはハンドル３３０２を含むことができる。プルタブ３３０２は、とりわけ、金属または合金、可撓性ポリマー、布、紐、またはロープから形成されることができることもまた想定される。布、紐、またはロープからプルタブ３３０２を形成することにより、プルタブ３３０２とジッパーとの間の接続の摩耗を防ぐことができる。具体的には、ジッパーが外側シェル３５０１の周囲で閉じられているとき、プルタブ３３０２は、ユーザによって回転またはねじられることができる。布、紐、またはロープは、ユーザによってねじられる動作に耐えることができる。他のプルタブも想定される。例えば、プルタブは、プルタップが全方向に３６０°回転されることができる軸受接続を備えることができる。
【０１２２】
断熱装置３０１０の外側シェル３５０１に沿って一連の通気孔が設けられることができる。通気孔は、内側ライナ３５００と外側シェル３５０１との間に閉じ込められているいかなるガスも逃がす。通気孔がないと、内側ライナ３５００と外側シェル３５０１との間に閉じ込められたガスは、断熱装置３０１０を膨張させ、場合によっては、これが望ましくないことがある。特定の例では、内側ライナと外側シェルを接続する接合部またはシームは、ガスに対する通気孔を提供する。
【０１２３】
通気孔は、蓋アセンブリ３３００に設けられることができる。具体的には、蓋アセンブリ３３００では、シーム３５１７は、バインダ材料３５１８の縫合が行われる蓋アセンブリ３３００に一連の小さな開口を提供することができる。これらの開口は、ガスが蓋アセンブリ３３００の内部容積から逃げるための通気孔として機能する。
【０１２４】
さらに、本体アセンブリ３３５０に通気孔が設けられることができる。本体アセンブリでは、通気孔は、下部外側シェル部分３５０１Ｂの布が穿刺される下部外側シェル部分３５０１Ｂの領域に設けられることができる。例えば、図２６に示されるように、後部キャリーハンドル３２１０が断熱装置３０１０に取り付けられるボックスと十字形の縫合３５２１に小さな開口が設けられることができる。通気孔はまた、ハンドル３２１２、３２１０、モールループ３２２４、およびＤリング３２１４が断熱装置３０１０の外側シェル３５０１に取り付けられる領域または場所に設けられることができる。例えば、ハンドル、ウェビングまたはモールループ３２２４、およびＤリング３２１４を外側シェルに固定する縫合は、外側シェル３５０１に開口を提供し、断熱装置３０１０の保管区画または内側チャンバ３５０４への通気孔を形成する。図３３は、縫合３５１９が外側シェル３５０１、ハンドル３２１２、補強領域またはパッチ３３２０を通って延在する例示的な概略図を示している。
【０１２５】
断熱装置３０１０を形成するために、本体アセンブリ３３５０が形成されることができ、次に、蓋アセンブリ３３００が蓋アセンブリ３３００を本体アセンブリ３３５０に接合することによって形成されることができる。断熱装置３０１０の本体アセンブリ３３５０を形成するために、下部外側シェル部分３５０１Ｂおよび下部内側ライナ部分３５００Ｂは、独立して形成されることができる。下部外側シェル部分３５０１Ｂが形成されると、次に、断熱層３５０２が下部外側シェル部分３５０１Ｂ内に配置されることができる。下部内側ライナ部分３５００Ｂは、下部外側シェル部分３５０１Ｂに取り付けられて、下部外側シェル部分３５０１Ｂおよび下部内側ライナ部分３５００Ｂ内に断熱層３５０２を固定することができる。しかしながら、断熱層３５０２は、下部外側シェル部分３５０１Ｂと下部内側ライナ部分３５００Ｂとの間で自由に浮遊することができる。蓋アセンブリ３３００は、共に固定されることができ、蓋アセンブリ３３００は、溶接接合部３５２２において上部内側ライナ部分３５００Ａを上部外側シェル部分３５０１Ａおよび下部外側シェル部分３５０１Ｂに溶接することにより、本体アセンブリ３３５０に固定されることができる。最後に、蓋アセンブリ３３００は、上層３５０１Ａ１、下層３５０１Ａ２、上部内側ライナ部分３５００Ａ、材料のストリップ３５０１Ａ３、および結合材料３５１８と共に下部外側シェル部分３５０１Ｂの上部を縫合することにより、下部外側シェル部分３５０１Ｂにさらに取り付けられることができる。
【０１２６】
具体的には、下部外側シェル部３５０１Ｂは、第１の外側シェル部分３５０１Ｂ１、下部外壁部分３５０１Ｂ２、第１のベース層３５０１Ｂ３、および第２のベース層３５０１Ｂ４のそれぞれを共に取り付けることによって形成されることができる。次に、断熱材料の第１のシート３５０２Ｂ１および断熱材料の第２のシート３５０２Ｂ２のそれぞれは、下部外側シェル部分３５０１Ｂ内に配置されることができる。次に、下部内側ライナ部分３５００Ｂは、上部ストリップ３５００Ｂ１、中間部分３５００Ｂ２、および下部部分３５００Ｂ３のそれぞれを共に溶接した後、各溶接部にわたってシームテープ３５０９を追加することによって形成されることができる。あるいは、上述したように、下部内側ライナ部分３５００Ｂは、材料を射出成形することによって形成されることができる。下部内側ライナ部分３５００Ｂが形成されると、内側ライナ部分３５００Ｂは、下部断熱層部分３５０２Ｂ内に配置されることができ、内側ライナ部分３５００Ｂは、断熱装置３０１０の本体アセンブリ３３５０の内周全体に沿ってシーム３５１１において下部外側シェル部分３５０１Ｂに溶接されることができる。シーム３５１１は、この例では、溶接または縫合のいずれかによって形成されることができる。
【０１２７】
図９は、下部内側ライナ部分３５００Ｂを下部外側シェル部分３５０１Ｂに溶接するために使用されることができる例示的な溶接技術を示している。下部内側ライナ部分３５００Ｂが下部断熱層部分３５０２Ｂ内に配置されると、下部内側ライナ部分３５００Ｂは、上部Ｕ字形部分３５１４Ａ、プレート部分３５１６、および下部Ｕ字形部分３５１４Ｂを含むことができるスリーピース工具を使用して、その側面に下部外側シェル部分３５０１Ｂに接合されることができる。上部Ｕ字形部分３５１４Ａ、プレート部分３５１６、および下部Ｕ字形部分３５１４Ｂの曲率は、断熱装置３０１０の本体アセンブリ３３５０の周囲の形状に対応することができる。
【０１２８】
シーム３５１１を溶接部として形成するために、下部内側ライナ部分３５００Ｂは、下部外側シェル部分３５０１Ｂと接触するように配置され、プレート部分３５１６は、下部内側ライナ部分３５００Ｂおよび上部Ｕ字形部分３５１４Ａ内に配置され、下部Ｕ字形部分３５１４Ｂは、下側外側シェル部分３５０１Ｂと接触するように配置されることができる。上部Ｕ字形部分３５１４Ａおよび下部Ｕ字形部分３５１４Ｂは、電流が上部Ｕ字形部分３５１４Ａ、下部外側シェル部分３５０１Ｂおよび下部内側ライナ部分３５００Ｂを流れることができるように、２本のリード線に接続されることができる。次に、最初に上部Ｕ字形部分３５１４Ａに電流を流して、曲線および直線部分を含む上部Ｕ字形部分３５１４Ａに沿って溶接部を形成することができる。上部セクションが溶接された後、リード線の極性が反転された後、下部Ｕ字形部分３５１４Ｂに沿って下部セクションを溶接することができる。
【０１２９】
下部が下部Ｕ字形部分によって溶接された後、残りの２つの側面は、プレート部分３５１６および一対の直線サイドバーもしくは他のクランプ機構またはその逆を使用することによって溶接されることができる。本体アセンブリ３３５０の湾曲部分と同様に、電流は、リード線によって一対の直線サイドバーに印加されることができる。この場合も、側面は、第１の方向に電流を印加して第１の側面を溶接し、次にリードの極性を切り替えて電流を反対方向に流して第２の側面を溶接することにより、別個に溶接されることができる。一例では、各セクションは、約１０秒間溶接されることができる。本体アセンブリ３３５０の全周囲の周りで溶接が完了すると、本体アセンブリ３３５０は、蓋アセンブリ３３００に組み立てられることができる。
【０１３０】
一例では、クロージャ３３１１は、断熱装置が６フィートの距離から落とされたときに液体が開口から出るのを防ぐように、実質的に防水性とすることができる。この試験では、断熱装置は、完全に水によって満たされた後、この場合には６つである断熱装置３０１０の各面のコンクリート表面に６フィートから落とされることができる。
【０１３１】
例示的な断熱装置３０１０は、氷の保持を判定するために試験された。したがって、氷保持試験が利用され、例示的な断熱装置３０１０の断熱特性を判定することができる。例示的な試験では、断熱装置３０１０が氷によって満たされたときの０°Ｆから５０°Ｆへの増加の持続時間は、以下の試験パラメータに従って判定された。特定の例では、断熱装置の温度は、０．５時間から１．５時間で０°Ｆから１０°Ｆまで上昇し、断熱装置の温度は、２２時間から２８時間で１０°Ｆから５０°Ｆまで上昇し、断熱装置の温度は、２４時間から３０時間で０°Ｆから５０°Ｆまで上昇する。
【０１３２】
氷の保持は、以下の試験を使用して試験された。試験の２４時間以上前に、以下のステップが実行される。
【０１３３】
試験クーラーが内側も外側もきれいであることを確認する。
【０１３４】
試験ログまたはメモにおける固有の識別子およびレコード識別子ならびに説明によって試験クーラーをマークする。
【０１３５】
ダクトテープを使用して、試験クーラー（Ｃ）のほぼ中央に熱電対（Ｔ）を配置する。
【０１３６】
熱電対の先端は、クーラーの床から約１インチ上にある必要がある。（適切な熱電対設定の例については、図１１を参照されたい。）
【０１３７】
蓋を開放した状態で試験クーラーを内部（周囲温度６５〜７５°Ｆ）に最低２４時間保持することによって試験クーラーを調整する。
【０１３８】
以下の式を使用して、試験に必要な氷の量（０．１ｌｂｓ近くまで）を計算する。
【０１３９】
クーラーあたりの氷＝０．５２ｌｂｓ×クーラーの４分の１の容量
【０１４０】
必要な氷＝クーラーあたりの氷×クーラーの数
【０１４１】
使用前に最低２４時間、氷を冷凍庫（−１５から−５°Ｆ）に入れることによって氷を調整する。
【０１４２】
試験の日に、以下のステップが実行される：
【０１４３】
試験機器を収集する
【０１４４】
サーマルチャンバを１００°Ｆの温度に到達させる
【０１４５】
秤量−はかりを冷凍庫の近くに置いて氷を試験する
【０１４６】
データロガー−データロガーがバッテリを充電していることを確認する
【０１４７】
試験手順は、以下のとおりである：
【０１４８】
試験クーラーを試験氷を有する冷凍庫に持っていく。
【０１４９】
はかりに試験クーラーを置き、はかりを風袋引きする。
【０１５０】
ハンマーによって試験氷を破壊する。
【０１５１】
参照としてはかりを使用して、必要な量の氷によって試験クーラーを素早く満たす。
【０１５２】
氷が試験クーラー全体に均一に分布していることを確認する。
【０１５３】
熱電対のコネクタ端部が試験クーラーの外側にあることを確認し、クーラーの蓋を閉じて固定する。
【０１５４】
残りの試験クーラーについてもステップを繰り返す。
【０１５５】
それらが全て均一な直射日光および空気流の量を有するようにクーラーを試験領域に配置する（１つのクーラーが他のクーラーを遮らない）。
【０１５６】
全ての熱電対をデータロガーに接続する。
【０１５７】
全ての熱電対の読み取り値をチェックして、全ての接続が完了してチャネルが正しく記録されていることを確認する。（注意：各試験クーラー内の開始温度は、１０°Ｆ未満である必要がある）。
【０１５８】
データロガーの電源を入れ、１０分未満の間隔で記録された温度で記録するように設定する。
【０１５９】
記録を開始し、時間を試験ログに記録する。
【０１６０】
各試験クーラーの内部温度が５０°Ｆ以上になるまで試験を継続する。
【０１６１】
記録を停止する。
【０１６２】
データロガーから熱電対を取り外す。
【０１６３】
データロガーからデータを受信する。
【０１６４】
試験領域から試験クーラーを取り外す。
【０１６５】
試験クーラーを空にして乾燥させる。
【０１６６】
試験クーラーから熱電対を取り外す。
【０１６７】
上記の手順に従って２つのサンプルが試験された。その結果が以下に反映される。
【表１】
2021508265.tif 000003
【０１６８】
図３５Ａ〜図３６Ｂは、他の例示的な断熱装置５０１０の様々な図を示している。例示的な断熱装置５０１０は、図２４〜図３０に関連して上述した例と同様である。同様の参照符号は、様々な図の全てにおいて同様の機能の同じまたは同様の要素を指し、したがって、これらの要素については詳細には説明しない。しかしながら、この例では、例示的な断熱装置５０１０は、より小さなサイズから形成されることができ、上部ハンドル５２１６を含むことができ、任意の補強シートまたはパネルを含むことができる。それにもかかわらず、本明細書に記載の断熱装置の例は、同様の上部ハンドルおよび補強シートまたはパネルを含むことができることが想定される。
【０１６９】
図３６Ａおよび図３６Ｂは、例示的な蓋アセンブリ５３００の部分図を示している。図３５Ａは、例示的な蓋アセンブリ５３００の部分断面図を示している。例示的な蓋アセンブリ５３００は、上記例と同様であるが、蓋アセンブリ５３００内に補強シートまたはパネル５２１７をさらに含むことができる。図３６Ｂは、補強シート５２１７を例示するための例示的な蓋アセンブリの部分平面図を示している。補強シートまたはパネル５２１７は、ハンドル５２１６および蓋アセンブリ５３００の曲がりを防止するのを助けるように構成される。補強シートまたはパネル５２１７は、外側ライナ５５０１、断熱層５５０２、および内側層５５００と比較して、比較的剛性のある材料のシートとすることができる。特定の一例では、補強シートまたはパネル５２１７は、ポリエチレンなどの適切なポリマーまたはプラスチックから形成されることができる。しかしながら、可撓性である任意の補強材材料が使用されることができ、他の例は、熱成形されたＰＥ、ＴＰＵ射出成形されたカスタムコンポーネントを含むことができる。
【０１７０】
特定の例では、補強シートまたはパネル５２１７は、平坦、波形とすることができるか、またはハニカム構成を有することができる。しかしながら、パネル５２１７は、ハンドル５２１６の曲がりを防止するのを助けるために他のパターンを含むことができる。特定の例では、補強シートまたはパネルは、１から３ｍｍの厚さとすることができる。補強シートは、特定の例では水がカバーに浸透するのを防ぐように構成されることができるカバーを含むことができる。他の例では、ハンドルを補強するために追加の布地を含めることができる。
【０１７１】
ハンドル５２１６を支持するために、補強領域またはパッチ５３２０を蓋アセンブリ５３００に含めることができる。特定の例では、パッチ５３２０は、蓋アセンブリ５３００に溶接されることができる。しかしながら、パッチ５３２０はまた、完全に省略されてもよい。ハンドル５２１６は、糸５２１９を介して蓋アセンブリ５３００および補強パネル５２１７に縫合されてもよい。ハンドル５２１６はまた、蓋アセンブリを通って延在し、補強パネル５２１７に接続されるように向けられてもよい。さらに、ねじを使用する代わりに、ハンドル５２１６は、１つ以上の溶接、ボルトまたは他のねじのような接続、バヨネット、ボールおよびソケットなどによって補強シートまたはパネル５２１７に接続されることができる。他の接続方法は、レイヤー５５０１Ａ１または５５０１Ａ２のいずれかに１つ以上のスロットを設け、補強シートまたはパネル５２１７に１つ以上のスロット内に配置されることができる１つ以上の対応する突起を設けることを含むことができ、断熱装置５０１０の蓋アセンブリ５３００に対するシートまたはパネル５２１７のより高度な接続を可能にする。また、ワイヤフレームまたは鋼線がハンドル５２１６内に配置され、ハンドル５２１６を通して延在することができる。ワイヤフレームまたは鋼線は、シートまたはパネル５２１７に通されてハンドルを蓋アセンブリ５３００に固定することができる。蓋アセンブリおよび／またはハンドルの全てまたは一部が射出成形され、ハンドルの曲がりを防止するためにより剛性の高い構造を提供することができることも想定される。
【０１７２】
ハンドル５２１６と補強パネル５２１７との間の接続はまた、それぞれ、ＴＰＵコーティングされたナイロンラミネートとすることができる別個の層５５０１Ａ１、５５０１Ａ２と、圧縮成形されたＥＶＡ材料との間の分離問題を防ぐのに役立つ。この例では、ハンドルと補強パネルとの間の接続は、水が蓋に入ることができる可能性がある。しかしながら、同時に、接続部は、接続部によって形成された開口を介して蒸発することにより、その中のいかなる液体も逃がすことができる。しかしながら、ハンドルと補強パネルとの間の接続は、蓋アセンブリへの湿気の量を制限するために、防水性または耐水性とすることができることも想定される。
【０１７３】
また、ハンドル５２１６は、１０００Ｄナイロンまたは他の適切なポリマーから形成されることができ、５０ｍｍのウェビングを含むことができる。さらに、ハンドル５２１６は、ハンドルの把持部分にパッドを含むことができる。一例では、パッドは、５ｍｍのポリエチレンスポンジ発泡体などの適切な発泡体であってよい。蓋アセンブリ５３００と本体アセンブリ５３５０との間のシールは、断熱装置５０１０がシールされて内容物によって満たされたとき、ハンドルによる衝撃荷重に耐えるように構成されることができることが想定される。それにもかかわらず、蓋アセンブリ５３００を本体アセンブリ５３５０にリンクするサイドブリッジもまた、断熱装置５０１０において重い物品を輸送するために想定される。
【０１７４】
図３７は、本明細書に記載の１つ以上の態様にかかる断熱装置６０１０の正面部の等角図を示している。さらに、図３８は、同じ断熱装置６０１０の後部の等角図を示している。図３８に示されるように、断熱装置６０１０は、断熱装置６０１０がバックパックとして運ばれることを可能にする後部支持パネル６６０２と肩部ストラップ６６０４Ａおよび６６０４Ｂとを含む。断熱装置６０１０は、これらの開示において以前に説明された例と同様の構成とすることができ、同様の参照符号は、同様の機能を有する同様の特徴を表す。一例では、同じ最後の３桁で示され、必要に応じて同じ文字または英数字の接尾辞で示される特徴は、同様の特徴および構成材料および／または方法論を含むと見なすことができる。断熱装置６０１０の構造は、とりわけ、接着剤、縫合、レーザ溶接、および／またはリベットを含む、これらの開示全体を通して以前に記載されたものなどの任意の方法および／またはファスナ要素によって互いに結合されることができることが想定される。
【０１７５】
図３９は、本明細書に記載の１つ以上の態様にかかる断熱装置６０１０の正面図を示している。断熱装置６０１０は、これらの開示の範囲から逸脱することなく、高さ、幅および深さについて任意の寸法を有することができることが想定される。さらに、断熱装置６０１０の様々なコンポーネントまたはサブコンポーネントは、これらの開示の範囲から逸脱することなく、任意の寸法を有することができることが想定される。図３９は、断熱装置６０１０の幅６８０２および高さ６８０４を概略的に示している。図４０は、断熱装置６０１０の深さ６８０６を概略的に示している。１つの特定の例では、幅６８０２は、約２８ｃｍと測定することができる。他の例では、幅６８０２は、約２４から３２ｃｍの範囲とすることができる。さらに、高さ６８０４は、約４８ｃｍと測定することができる。他の例では、高さ６８０４は、約４４から５２ｃｍの範囲とすることができる。さらに、深さ６８０６は、約２２ｃｍと測定することができる。他の例では、深さ６８０６は、約１６から２８ｃｍの範囲とすることができる。しかしながら、断熱装置６０１０は、任意の寸法を有することができることが想定される。一例では、断熱装置６０１０は、実質的に直方体の形状を有することができる。追加的にまたは代替的に、断熱装置６０１０の形状は、１つ以上の丸みを帯びた、または隅肉化されたエッジを有する直方体であってもよい。しかしながら、断熱装置６０１０は、これらの開示の範囲から逸脱することなく、実質的に円筒形の形状などの異なる幾何学的形状を有することができることが想定される。
【０１７６】
図３９に示すように、断熱装置６０１０は、前述のループ２２４と同様に、複数の布ループ６２２４を含む。特に、第１の側壁６５０７Ａに結合されているものとして６つのループ６２２４の２つの列が図３９にそれぞれ示されている。しかしながら、これらの開示の範囲から逸脱することなく、任意数のループ６２２４が単一の列または３つ以上の列において使用されることができることが想定される。
【０１７７】
図４０Ａは、本明細書に記載の１つ以上の態様にかかる断熱装置６０１０の第１または右側の側面図を示している。一例では、断熱装置６０１０は、取り付けパネル６６０６を含む。取り付けパネル６６０６は、外部要素のフックアンドループファスナに取り外し可能に結合されるように構成された表面を含むことができる（外部要素は、図示されていないが、フックアンドループアタッチメント要素を含むとりわけ１つ以上の収納ブラケット、ストラップ、ポケット、またはポーチを含むことができる）。取り付けパネル６６０６は、フックアンドループファスナ構造のフックアンドループ要素の一方または双方を含むことができることが想定される。追加的にまたは代替的に、取り付けパネル６６０６は、１つ以上の外部磁気要素（図示せず）に取り外し可能に結合されるように構成された１つ以上の金属要素および／または磁気要素を含むおよび／またはカプセル化することができる。
【０１７８】
図４０Ｂは、断熱装置６０１０の右側の代替の実装を示している。したがって、断熱装置６０１０は、取り付けパネル６６０６の代わりに一連の取り付けループ６２２４を含むことができる。さらに、断熱装置６０１０は、図４４に関連してさらに詳細に説明される腰部ストラップ６８１０を含むことができる。腰部ストラップ６８１０は、図４０Ａの実装を含む、これらの開示全体にわたって説明される断熱装置の任意の実装と組み合わせて使用されることができることが想定される。
【０１７９】
図４１は、本明細書に記載の１つ以上の態様にかかる断熱装置６０１０の第２の側面または左側の側面図を示している。図４１に示すように、断熱装置６０１０は、前述のループ２２４と同様に、複数の布ループ６２２４を含む。図４１には４つのループ６２２４が示されているが、これらの開示の範囲から逸脱することなく、任意数のループ６２２４が使用されることができることが想定される。さらに、図４１に示されている断熱装置６０１０の第２の側面は、取り付けパネル６６０６と同様の取り付けパネルを含むことができることが想定される。追加的にまたは代替的に、図４０に示されている断熱装置６０１０の第１の側面は、図４１に示されるループ６２２４と同様の取り付けループを含むことができることが想定される。
【０１８０】
図４２は、本明細書に記載の１つ以上の態様にかかる断熱装置６０１０の背面側の立面図を示している。一例では、後部支持パネル６６０２は、図示された補強パッチ６３２０および断熱装置６０１０の第４の側壁６５０７Ｄに結合される。肩部ストラップ６６０４Ａおよび６６０４Ｂは、ストラップ２１８と同様の材料およびプロセスを使用して構成されることができる、パッド入りの上部ストラップ部分６７０２Ａおよび６７０２Ｂを含むことができる。一例では、パッド入りの上部ストラップ部分６７０２Ａおよび６７０２Ｂは、耐摩耗性の外側ポリマーシェルによって囲まれた発泡体コアを含む、材料の複数の層を含むことができる。したがって、発泡体コアは、エチレンビニルアセテート、低密度ポリエチレン、ニトリルゴム、ポリクロロプレン発泡体、ポリイミド発泡体、ポリプロピレン発泡体、ポリウレタン発泡体、ポリ塩化ビニル発泡体、シリコン発泡体、およびマイクロセルラー発泡体、またはそれらの組み合わせのうちの１つ以上を含むことができる。さらに、パッド入りの上部ストラップ部分６７０２Ａおよび６７０２Ｂは、パッド入りの上部ストラップ部分６７０２Ａおよび６７０２Ｂ上に縫合されて複数のループ６７１６を形成する外側ウェビングを含むことができる。ループ６７１６の一部には、図４２のパッド入りの上部ストラップ部分６７０２Ａおよび６７０２Ｂのそれぞれにラベルが付されている。
【０１８１】
パッド入りの上部ストラップ部分６７０２Ａおよび６７０２Ｂは、任意の物理的寸法を有することができる任意数のループ６７１６を含むことができることが想定される。これらのループは、ループ２２４と同様とすることができ、ナイロンウェビングから構成されることができる。追加的にまたは代替的に、ループ６７１６は、ポリプロピレン、ネオプレン、ポリエステル、ダイニーマ、ケブラー、綿織物、皮革、プラスチック、ゴム、またはロープなどの他の材料から構成されてもよい。一実装では、ループ６７１６は、物品（例えば、とりわけ、カラビナ、ドライバッグ）を断熱装置６０１０に取り付けるために使用されるように構成される。追加的にまたは代替的に、ループ６７１６は、パッド入りの上部ストラップ部分６７０２Ａおよび６７０２Ｂが拡張されることができる程度を制限するように構成される。したがって、パッド入りの上部ストラップ部分６７０２Ａおよび６７０２Ｂは、断熱装置６０１０がユーザの背中に着用されたときに衝撃吸収を提供するために変形および拡張するように構成された材料から構成されることができる。断熱装置６０１０がユーザによって装填または着用されていない場合、パッド入りの上部ストラップ部分６７０２Ａおよび６７０２Ｂは、収縮位置にあることができ、ループ６７１６は、パッド入りの上部ストラップ部分６７０２Ａおよび６７０２Ｂから外側にループする所定量のたるみを有することができる。ユーザによって着用されると、断熱装置６０１０の重量は、断続的または継続的にパッド入りの上部ストラップ部分６７０２Ａおよび６７０２Ｂを拡張させることができ、ループ６７１６は、パッド入りの上部ストラップ部分６７０２Ａおよび６７０２Ｂの外面にぴんと張って近接して再配置されることができる。したがって、ループ６７１６は、パッド入りの上部ストラップ部分６７０２Ａおよび６７０２Ｂが拡張することができる程度を制限するように構成されることができ、それにより、パッド入りの上部ストラップ部分６７０２Ａおよび６７０２Ｂへの過度の拡張および損傷を防ぎながら、衝撃吸収機能も提供することができる。
【０１８２】
一例では、パッド入りの上部ストラップ部分６７０２Ａおよび６７０２Ｂは、近位端部６７０４Ａおよび６７０４Ｂにおいて後部支持パネル６６０２の上部に結合されることができる。パッド入りの上部ストラップ部分６７０２Ａおよび６７０２Ｂは、とりわけ、縫合、接着、または１つ以上のファスナ要素によって、近位端部６７０４Ａおよび６７０４Ｂにおいて後部支持パネル６６０２に結合されることができることが想定される。肩部ストラップ６６０４Ａおよび６６０４Ｂは、さらに、下部調整ストラップ６７０６Ａおよび６７０６Ｂを含むことができる。下部調整ストラップ６７０６Ａおよび６７０６Ｂは、近位端部６７０８Ａおよび６７０８Ｂにおいて支持パネル６６０２の背面下部に結合されることができる。下部調整ストラップ６７０６Ａおよび６７０６Ｂは、ループ６７１６およびウェビング２１２と同様の材料から構成されることができる。したがって、一例では、下部調整ストラップ６７０６Ａおよび６７０６Ｂは、ナイロンウェビングから形成されることができる。
【０１８３】
パッド入りの上部ストラップ部分６７０２Ａおよび６７０２Ｂの遠位端部６７１０Ａおよび６７１０Ｂは、調整バックル６７１４Ａおよび６７１４Ｂによって下部調整ストラップ６７０６Ａおよび６７０６Ｂの遠位端部６７１２Ａおよび６７１２Ｂに調整可能に結合されることができる。一例では、調整バックル６７１４Ａおよび６７１４Ｂは、とりわけ、ポリマー、金属、合金、セラミック、または繊維強化材料のうちの１つ以上から構成されることができる。さらに、調整ストラップ６７０６Ａおよび６７０６Ｂが誤って滑り、調整バックル６７１４Ａおよび６７１４Ｂから外れる可能性が低減されるように、下部調整ストラップ６７０６Ａおよび６７０６Ｂの遠位端部６７１２Ａおよび６７１２Ｂは、下部調整ストラップ６７０６Ａおよび６７０６Ｂが調整バックル６７１４Ａおよび６７１４Ｂを介して把持されて引っ張られることを可能にし、下部調整ストラップ６７０６Ａおよび６７０６Ｂの厚さを増やすためにフィンガループを提供する縫合ループを含むことができる。
【０１８４】
断熱装置６０１０は、下部取り付けループ６７１８Ａおよび６７１８Ｂをさらに含むことができる。下部取り付けループ６７１８Ａおよび６７１８Ｂは、後部支持パネル６６０２の側面に縫合されることができ、下部調整ストラップ６７０６Ａおよび６７０６Ｂと同様の材料から構成されることができる。下部取り付けループ６７１８Ａおよび６７１８Ｂは、ナイロンウェビング材料から構成されることができることが想定される。しかしながら、これらの開示の範囲から逸脱することなく、追加的または代替的な材料が使用されることができることが想定される。一例では、下部取り付けループ６７１８Ａおよび６７１８Ｂは、腰部ストラップ（図示せず）を断熱装置６０１０に取り付けるためのアンカー点として使用されることができる。
【０１８５】
一実装では、断熱装置６０１０は、そうでなければ運搬ハンドル６７２０と呼ばれるループハンドル６７２０を含むことができる。ループハンドル６７２０は、後部支持パネル６６０２の上部において断熱装置６０１０に縫合されることができ、下部取り付けループ６７１８Ａおよび６７１８Ｂと同様に、ナイロンウェビングから構成されることができる。しかしながら、ループハンドル６７２０は、これらの開示の範囲から逸脱することなく、追加的または代替的なポリマー、金属、合金またはセラミック材料から構成されることができることが想定される。一例では、ループハンドル６７２０は、ナイロンウェビング内に封入されたパッド入り材料をさらに含むことができる。このパッド入り材料は、発泡体、またはナイロンウェビングの１つ以上の層を含むことができる。他の実装では、ループハンドル６７２０は、後部支持パネル６６０２の上方の断熱装置６０１０の後部または第４の側壁６５０７Ｄに縫合されてもよい。
【０１８６】
図４３は、本明細書に記載の１つ以上の態様にかかる断熱装置６０１０の断面図を概略的に示している。一例では、断熱装置６０１０は、図３５Ｆに概略的に示されるように、断熱装置５０１０と同様の要素を含むことができる。さらに、断熱装置６０１０は、後部支持パネル６６０２を含む。一例では、後部支持パネル６６０２は、前述のように、縫製を含む１つ以上のファスナによって、および／または結合材５１８と同様の結合材６５１８によって互いに結合された外側層６６０８および内側層６６１０を含む。一例では、後部支持パネル６６０２は、外側シェルセクション６５０１に結合されることができる。さらに、外側シェルセクション６５０１は、後部または第４の側壁６５０７Ｄに２つ以上の層６５０１Ｂ１を有することができ、後部支持パネル６６０２は、断熱装置６０１０に結合される。一実装では、後部支持パネル６６０２の内側層６６１０は、圧縮成形されたエチレンビニルアセテート（ＥＶＡ）を含むことができる。他の例では、内側層６６１０は、追加的にまたは代替的に、とりわけ、低密度ポリエチレン、ニトリルゴム、ポリクロロプレン発泡体、ポリイミド発泡体、ポリプロピレン発泡体、ポリウレタン発泡体、ポリ塩化ビニル発泡体、シリコン発泡体、およびマイクロセルラー発泡体、またはそれらの組み合わせなど、他のポリマー発泡材料を含むことができる。一実装では、外側層６６０８は、ナイロン材料およびポリ合成皮革を含むことができる。しかしながら、外側層６６０８は、追加的または代替的な材料を含むことができることが想定される。一実装では、後部支持パネル６６０２の材料および厚さは、断熱装置６０１０がバックパックとして着用されたときに後部支持パネル６６０２がユーザの背中に近接して配置された場合、変形または追加された剛性に対する抵抗を提供する、またはバックパックとして着用されていない場合、断熱装置６０１０を直立位置（図示せず）に保持するための追加の剛性を提供するように構成されることができる。前述のものに加えてまたは前述のものに代わるものとして、ポリマー、金属、合金、繊維強化材料、またはそれらの組み合わせを含む、任意の材料の厚さおよび材料種類が後部支持パネル６６０２の構成に使用されることができることが想定される。
【０１８７】
断熱装置６０１０は、内部チャンバ５０４、２５０４、３５０４、および４５０４と同様の内部チャンバ６５０４を含み、１つ以上の物品を保管し、そこからまたはそこへの熱伝達率を低減するように構成される。この内部チャンバ６５０４の容積は、これらの開示の範囲から逸脱することなく、任意の値を有することができることが想定される。
【０１８８】
断熱層６５０２Ａ、６５０２Ｂ、６５０２Ｂ２は、これらの開示全体にわたって以前に記載された断熱材料のいずれかを含むことができることが想定される。追加的にまたは代替的に、図４３に示される断熱層は、１つ以上の真空断熱パネルを含むことができる。これらの真空断熱パネルは、２０１６年１１月２３日に提出されたＰＣＴ／ＵＳ２０１６／０６３６５８号にさらに記載されており、その内容は、参照により本明細書に組み込まれる。
【０１８９】
他の例では、断熱装置６０１０は、追加の補強構造を含むことができる。一例では、これらの追加の補強構造は、１つ以上のプレート、チューブおよび／またはビームから、ならびに金属、合金、セラミック、もしくは繊維強化材料、またはそれらの組み合わせから構成された内部、外部または部分的内部フレームのうちの１つ以上を含むことができる。他の実装では、断熱装置６０１０の内部チャンバ６５０４は、これらの開示の範囲から逸脱することなく、１つ以上の保管区画、ポケット、仕切り、または他の構造を含むことができる。
【０１９０】
図４４は、断熱装置６０１０の他の等角図を示している。図示のように、腰部ストラップ６８１０は、下部取り付けループ６７１８Ａおよび６７１８Ｂに取り外し可能に取り付けられている。一例では、腰部ストラップ６８１０は、バックル６８１６によって第２のストラップ部分６８１４に取り外し可能に結合される第１のストラップ部分６８１２を含む。第１および第２のストラップ部分６８１２および６８１４は、下部調整ストラップ６７０６Ａおよび６７０６Ｂと同様に、ナイロンウェビングから構成されることができることが想定される。しかしながら、これらの開示の範囲から逸脱することなく、追加的または代替的なポリマー、金属、合金もしくはセラミック材料、またはそれらの組み合わせは、第１および第２のストラップ部分６８１２および６８１４において使用されることができる。バックル６８１６は、これらの開示の範囲を逸脱することなく、任意の取り外し可能な結合実装を含むことができることがさらに想定される。
【０１９１】
腰部ストラップ６８１０は、２つの分割リングファスナ６８１８Ａおよび６８１８Ｂによって下部取り付けループ６７１８Ａおよび６７１８Ｂに取り外し可能に取り付けられることができる。一例では、スプリットリングファスナ６８１８Ａおよび６８１８Ｂは、アルミニウムから構成されることができ、下部取り付けループ６７１８Ａおよび６７１８Ｂが挿入されることを可能にするように構成されたギャップを有する細長ループ要素を含むことができる。他の実装では、分割リングファスナ６８１８Ａおよび６８１８Ｂは、他の金属、合金、ポリマー、繊維強化材料、もしくはセラミック、またはそれらの組み合わせから構成されてもよい。
【０１９２】
図４４は、肩部ストラップ６８２０Ａおよび６８２０Ｂの代替の実装をさらに示している。肩部ストラップ６８２０Ａおよび６８２０Ｂは、肩部ストラップ６７０２Ａおよび６７０２Ｂと同様とすることができ、構造的耐荷重特性および耐摩耗性のために提供されるパッドおよび／または外側ウェビング材料の１つ以上の層を含むことができる。さらに、肩部ストラップ６７０２Ａおよび６７０２Ｂは、一連の複数のループを含むことができる（ループの一部は、図４４においてループ６７１６としてラベル付けされている）。肩部ストラップ６８２０Ａおよび６８２０Ｂは、これらの開示の範囲から逸脱することなく、任意数のループ６７１６を含むことができることが想定される。一例では、一連のループ６７１６は、調整バックル６７１４Ａおよび６７１４Ｂから、肩部ストラップ６８２０Ａおよび６８２０Ｂの幅にわたって延在する補強パッチ６８２２Ａおよび６８２２Ｂまで延在している。
【０１９３】
図４５は、断熱装置８０１０の他の実装の等角図を示している。一例では、断熱装置８０１０は、断熱装置６０１０と同様とすることができ、肩部ストラップ８７０２Ａおよび８７０２Ｂを含むことができる。図示されているように、断熱装置８０１０は、傾斜した蓋アセンブリ８３００およびクロージャ８３１１を有する実質的に直方体の形状を有することができる。断熱装置８０１０は、これらの開示において以前に説明された例と同様の構成とすることができ、同様の参照符号は、同様の機能を有する同様の特徴を表す。一例では、同じ最後の３桁で示され、必要に応じて同じ文字または英数字の接尾辞で示される特徴は、同様の特徴および構成材料および／または方法論を含むと見なすことができる。断熱装置８０１０の構造は、とりわけ、接着剤、縫合、レーザ溶接、および／またはリベットを含む、これらの開示全体を通して以前に記載されたものなどの任意の方法および／またはファスナ要素によって互いに結合されることができることが想定される。
【０１９４】
一例では、肩部ストラップ８７０２Ａおよび８７０２Ｂの下部調整ストラップ（例えば、８７０６Ａ）は、第２の側壁８５０７Ｂおよび第３の側壁８５０７Ｃに取り外し可能に結合されることができる。下部調整ストラップ（例えば、８７０６Ａ）は、ウェビングループ８８３４によって断熱装置８０１０の側壁（例えば、第３の側壁８５０７Ｃ）に取り付けられたＤループ８８３２に取り外し可能に結合されるように構成された留め金８８３０を含むことができる。図示された留め金８８３０およびＤループ８８３２は、追加的にまたは代替的に、バックル（バックル６７１４Ａおよび６８１６のうちの１つ以上と同様）、またはフックアンドループファスナなどの任意の取り外し可能な取り付け機構を含むことができることが想定される。追加的にまたは代替的に、留め金８８３０は、Ｄループ８８３２を使用せずに、ウェビングループ８８３４に直接取り外し可能に結合されるように構成されてもよい。一例では、留め金８８３０およびＤループ８８３２は、とりわけ、ポリマー、金属、合金、繊維強化材料、またはセラミックから構成されることができる。
【０１９５】
図４６は、図４４に関連して説明したように、分割リングファスナ６８１８の一実装を概略的に示している。一例では、１つ以上の分割リングファスナ６８１８が使用され、腰部ストラップ６８１０を下部取り付けループ６７１８Ａおよび６７１８Ｂに取り付けることができる。図示されているように、分割リングファスナは、ギャップ９８５２を有する細長ループ要素９８５０を含むことができる。ギャップ９８５２は、下部取り付けループの一部を一時的に変形させ、変形部分をギャップ９８５２に挿入し、分割リングファスナ６８１８の孔９８５４内でその部分を１回拡張することにより、分割リングファスナ６８１８を下部取り付けループ６７１８（図４６には図示せず）に取り外し可能に結合するために使用されることができる。一例では、分割リングファスナ６８１８は、アルミニウムから構成されることができる。他の実装では、分割リングファスナ６８１８は、他の金属、合金、ポリマー、繊維強化材料、もしくはセラミック、またはそれらの組み合わせから構成されてもよい。
【０１９６】
一例では、装置１０１０、２０１０、３０１０、４０１０、５０１０、６０１０、および８０１０など、本開示全体を通して説明される断熱装置は、クロージャ６３１１と同様に、１つ以上のジッパーアセンブリを含むことができる。ジッパーアセンブリのこれらの代替実装は、曲線形状を含むことができる。例えば、ジッパーは、平面に結合されるのではなく、複数の曲率領域を有する複雑な形状に結合されることができるように実装されてもよい。追加的にまたは代替的に、これらの開示全体を通して説明される断熱装置のいずれかとともに使用されるクロージャは、ジッパートラックの長さに沿って配置されるように構成された水反応性抵抗体を有するジッパーを含むことができる。したがって、複数の水反応性抵抗体は、水にさらされると膨潤し、ジッパークロージャを開閉するために使用されるときにジッパー機構のスライダ本体に抵抗を提供するように構成されることができる。一例では、水反応性抵抗体は、ジッパートラックの全長に沿って連続的に延在してもよい。水反応性抵抗体が提供する抵抗は、水にさらされたときにクロージャが開放されるのを防ぎ、したがって、断熱装置内に配置された流体、氷、および／または材料が誤ってこぼれるのを防ぐことができる。
【０１９７】
他の例では、複数のポリマー抵抗体が、クロージャのトラック６３１１などのジッパートラックの長さに沿って設けられてもよい。プラスチック抵抗体は、ジッパートラックに沿ったスライダ本体の動きに抵抗するように構成されることができる（水の存在の有無にかかわらず）。したがって、複数のポリマー抵抗体は、ジッパートラックに沿ったスライダ本体の動きを遅くすることができる。そうすることで、ポリマー抵抗体は、水反応性抵抗体と同様の機能を有することができ、断熱装置内に保管された流体、氷、および／または材料の偶発的なこぼれを防ぐことができる。
【０１９８】
フレームは、本開示全体を通して説明される任意の断熱装置に組み込まれることができることがさらに想定される。フレームは、携帯用断熱装置の質量および重心の対称的なおよび／またはバランスのとれた分布を提供するために使用されてもよい。したがって、フレームは、ポリマー、繊維強化複合材、またはアルミニウムやチタンなどの金属もしくは合金のうちの１つ以上から形成されることができる。
【０１９９】
これらの開示全体を通して説明される断熱装置は、１つ以上の保管バッフルを含むようにさらに構成されることができる。保管バッフルは、発泡体、真空断熱パネル、金属、合金、ポリマー、繊維強化材料、およびセラミック、またはそれらの組み合わせのうちの１つ以上を使用して構成されることができることが想定される。バッフルは、個別にシール可能で且つ防水性の容器とすることができ、または本明細書に記載の様々な断熱装置の内部区画内の領域を分割および／または分離することができる。一例では、断熱保管区画内のバッフルは、特定のサイズの物品を保管するように構成されることができる。
【０２００】
一例では、断熱装置内で複数の保管バッフルが使用されることができる。例えば、一方のバッフルがシール可能で且つ防水性のバッフルであり、他方のバッフルが断熱保管区画内のシールされた防水性のバッフルとは異なる分割領域であるように、２つのバッフルが使用されることができる。一例では、バッフルは、取り外し可能であってもよい。これらの開示を読むために記載された断熱装置のいずれも、ドライアイス、水から作られた従来の氷、１つ以上のアイスパック、および／または水などのそのような流体によって満たされるように構成された取り外し可能なブラダーなどの氷を受け取って保管するように構成されることができる。様々な断熱装置の断熱保管区画内の下部バッフルは、氷および／または取り外し可能なブラダーを受け入れて保管するように特に設計されることができる。この下部バッフルは、導電性材料によってライニングおよび／または製造され、断熱保管区画内の１つ以上の上部バッフルに冷却を提供するように構成されることができる。場合によっては、上部バッフルはまた、導電性材料によってライニングおよび／または製造されてもよく、したがって、下部バッフルによって提供される冷却をさらに分散するように構成されてもよい。追加的にまたは代替的に、断熱装置の断熱保管区画内のバッフルのそれぞれは、氷、アイスパック、および／または取り外し可能なブラダーを受け入れて保管するように構成されてもよい。
【０２０１】
断熱装置が飲料水から作られた氷を保管するように構成されている場合、断熱保管区画内のバッフルは、氷が溶けるときに水を氷から分離するように構成されてもよい。水は、携帯用断熱装置（装置１０１０、２０１０、３０１０、４０１０、５０１０、６０１０、および８０１０など）の内部の最下部のリザーバに流れるように構成されてもよい。リザーバは、そこに取り付けられたホースまたはチューブを含むことができ、それらは、携帯用断熱装置の内部を通って携帯用断熱装置の上端部までルーティングされることができる。そこから、ホースまたはチューブは、断熱装置の内部から外に延在することができ、終端部において一方向ノズルを含むことができる。一方向ノズルは、飲用ノズルとすることができ、断熱装置のユーザによって作動されたときに内部リザーバから水を放出するように構成されることができる。リザーバは、さらに、リザーバ内の圧力を増加させるために手動でまたは電気的にポンピングされることができる空気ポンプまたはブラダーを含むことができる。加圧されると、リザーバは、作動時にホースまたはチューブを介して且つ一方向ノズルから水を押し出すのを助けることができる。水が飲用ノズルを介して分配される前に水をフィルタにかけることができることがさらに想定される。
【０２０２】
特定の実装形態では、周辺冷却容器は、本開示全体を通して説明される断熱装置の断熱保管区画に隣接して配置されてもよく、断熱保管区画に冷却を提供するように構成されてもよい。そのような実施形態では、周辺冷却容器は、水、ドライアイス、１つ以上のアイスパック、および／または取り外し可能なブラダーから作製された従来の氷を受け取って保管するように構成されてもよい。周辺冷却容器は、断熱保管区画への冷却分配を可能にするために、導電性材料によってライニングおよび／または製造されてもよい。周辺冷却容器は、さらに、シール可能で防水性の容器であってもよい。
【０２０３】
周辺冷却容器は、断熱保管区画の前部、下部、側部、および／または後部に取り付けられてもよく、断熱保管区画に取り外し可能に取り付けられるように構成されてもよい。いくつかの例では、周辺冷却容器は、断熱保管区画にしっかりと取り付けられてもよい。取り外し可能に取り付け可能な構成では、周辺冷却容器は、携帯用断熱装置から取り外し可能とすることができる。
【０２０４】
いくつかの実施形態では、断熱保管区画および非断熱保管区画内のバッフルは、特定の保管区画の最後部および／または最も後部から上向きに且つ特定の保管区画の最前部および／または最も前部に向かって外向きに延在するように角度を付けることができる。バッフルのそのような向きは、上述したように、運搬中にキャリアの後部および肩部に接触するように構成されることができる装置の最後部および／または最も後部に近い携帯用断熱装置１００の重心を確立することができる。したがって、角度のついたバッフルは、対称的な重量配分と携帯用断熱装置１００の重心を提供することができる。
【０２０５】
例示的な断熱装置は、外側シェル、内側ライナ、外側シェルと内側ライナとの間に自由に浮遊する断熱層、および防水クロージャを含むことができる。シェルの上部は、第１の外周を有し、シェルの下部は、第２の外周を有する。第１の外周は、第２の外周と等しくすることができる。クロージャは、複数のジッパー歯を含むジッパーアセンブリとすることができ、ジッパー歯は、プラスチックまたは金属から形成されることができる。外側シェルは、二重ラミネートＴＰＵナイロン布から作製されることができる。内側ライナは、二重ラミネートＴＰＵナイロン布から作製されることができる。断熱層は、独立気泡発泡体から形成されることができる。断熱層は、ＮＢＲおよびＰＶＣブレンドから作製されることができ、断熱層の少なくとも一部は、ＥＶＡ発泡体層によって構成されることができる。外側シェルは、さらに、ストラップまたはハンドルのうちの少なくとも１つを含むことができる。外側シェルは、さらに、断熱装置を固定するための少なくとも１つのリングを含むことができる。
【０２０６】
例示的な断熱装置は、外側シェル、内側ライナ、外側シェルまたは内側ライナの少なくとも一方をシールするように適合されたクロージャ、および外側シェルと内側ライナとの間の断熱層を含むことができる。クロージャは、第１のフランジおよび第２のフランジを有することができ、外側ライナは、第１のフランジおよび第２のフランジの上面に固定されることができ、内側ライナは、第１のフランジおよび第２のフランジの下面に固定されることができる。外側ライナおよび内側ライナは、ポリマー溶接によってクロージャに接続されることができる。外側シェルは、第１の外周および第２の外周を有することができ、第１の外周および第２の外周は、双方とも楕円形の形状を有する。クロージャは、流体に対する障壁となるように適合されることができる。クロージャは、大気圧よりも高く７ｐｓｉまで水密性を有するジッパー装置とすることができる。
【０２０７】
断熱装置を組み立てる例示的な方法は、内部容器を有する内側ライナを形成することと、外部シェルを形成することと、内側ライナと外部シェルとの間に断熱層を形成することと、内部容器の内外の流体浸透に対する障壁となるように構成されたクロージャを固定することとを含むことができ、クロージャは、平坦面に固定され、外側シェルおよび内側シェルに固定されている。外側シェルおよび内側シェルは、クロージャにのみ接続されることができ、外側シェルと内側ライナとの間の断熱層には接続されることができない。
【０２０８】
クロージャ、外側シェル、および内側ライナが水平面にある場合、クロージャと内側シェルとの間、およびクロージャと外側シェルとの間に防水ポリマー溶接部が形成されることができる。外側シェルおよび内側層は、ＴＰＵナイロン材料から形成されることができる。クロージャは、第１のフランジおよび第２のフランジを有することができる。外側ライナは、第１のフランジおよび第２のフランジの上面に固定されることができ、内側ライナは、第１のフランジおよび第２のフランジの下面に固定されることができる。
【０２０９】
本方法はまた、矩形形状から断熱層を形成することと、矩形形状を円筒形状に丸めることとを含むことができる。断熱層の上部は、第１の外周を有し、断熱層の下部は、第２の外周を有する。第１の外周は、第２の外周と等しくすることができる。
【０２１０】
他の例示的な断熱装置は、外側シェル、保管区画を形成する内側ライナ、外側ライナと内側ライナとの間に自由に浮遊する発泡体層であって、断熱を提供する発泡体層と、外側層および内側層を通って延在する開口と、開口を実質的にシールするように適合されたクロージャとを含むことができる。クロージャは、液体が開口から出るのを防ぐために、実質的に防水性とすることができる。
【０２１１】
断熱装置はまた、上壁およびベースを含むことができ、上壁は、上壁外周、上壁長および上壁幅を画定し、ベースは、ベース外周、ベース長およびベース幅を画定する。上壁外周は、ベース外周と等しくすることができ、上壁幅に対する上壁長の比は、ベース幅に対するベース長の比よりも大きくすることができる。一例では、断熱装置の熱利得率は、約１．０〜１．５ｄｅｇＦ／ｈｒとすることができる。
【０２１２】
断熱装置を形成する他の例示的な方法は、内側ライナの第１の部分および外側シェルの第１の部分を形成することと、内側ライナの第１の部分および外側シェルの第１の部分をシール可能なクロージャに固定してキャップアセンブリを形成することと、内側ライナの第２の部分を形成し、内側ライナの第２の部分を内側ライナの第１の部分に固定して内側ライナを形成することと、外側シェルの第２の部分を形成することと、矩形発泡体部分を巻いて第１の円筒形発泡体部分を形成し、発泡体ベース部分を第１の円筒形部分に固定して発泡体アセンブリを形成することと、発泡体アセンブリを外側シェルの第２の部分に挿入することと、内側ライナを発泡体アセンブリに挿入することと、外側シェルの第１の部分を外側シェルの第２の部分に縫合することとを含むことができる。内側ライナの第１の部分および外側シェルの第１の部分は、クロージャに溶接されることができる。クロージャは、少なくとも１つのフランジを備えることができ、フランジは、外側シェルの第１の部分の下面および内側ライナの第１の部分の上面に固定されることができる。発泡体は、外側シェルの第２の部分と内側ライナの第２の部分との間で浮遊することができる。
【０２１３】
例示的な携帯用断熱装置は、外側ライナ、保管区画を形成する内側ライナ、外側ライナと内側ライナとの間の発泡体層を含むことができる。発泡体層は、断熱を提供するように適合されことができる。例示的な携帯用断熱装置はまた、外側層および内側層の一方を通って延在する開口と、開口を実質的にシールするための閉鎖手段とを含むことができる。クロージャは、実質的に防水性とすることができる。
【０２１４】
一例では、携帯用冷却器は、クーラー内のチャンバへのアクセスを可能にするジッパー装置によって開閉されるクーラーの上部の開口を含むことができる。開口は、クーラーが転倒した場合、または直立以外の任意の構成の場合、クーラーからのいかなる流体の漏れも防止する。ジッパーアセンブリはまた、クーラーが沈殿物、その他の流体にさらされたり、水中に沈められたりした場合に、クーラーチャンバに流体が浸透するのを防ぐ。
【０２１５】
水または他の液体および流体に対して不浸透性であるように構成されたジッパー装置および開口を組み立てる例示的な方法は、外側シェルおよび内側ライナの双方への材料溶接による防水ジッパーの取り付けを含むことができる。この方法は、開口のジッパー装置がシールされているときに、水や他の液体に対して不浸透性のチャンバをもたらすことができる。
【０２１６】
一例では、断熱装置は、外側シェルと、保管区画を形成する内側ライナと、外側ライナと内側ライナとの間に形成されて浮遊する発泡体層であって、断熱を提供する発泡体層と、外側層および内側層を通って延在する開口と、開口を実質的に密封するように適合されたクロージャであって、断熱装置が任意の向きにあるときに液体が開口から出るのを防ぐように実質的に防水性であるクロージャとを含むことができる。一例では、外側シェルの上部は、第１の構成において第１の外周を有することができる。外側シェルは、下部を含むことができ、外側シェルの下部は、第１の構成とは異なる第２の構成において第２の外周を有することができ、第１の外周は、第２の外周と等しくすることができる。第１の構成および第２の構成は、双方とも楕円形とすることができる。一例では、断熱装置は、上壁およびベースを含むことができ、上壁は、上壁外周、上壁長および上壁幅を画定することができ、ベースは、ベース外周、ベース長およびベース幅を画定することができる。上壁外周は、ベース外周と等しくすることができ、上壁幅に対する上壁長の比は、ベース幅に対するベース長の比よりも大きくすることができる。断熱装置の保冷時間は、約１１から２０時間とすることができる。しかしながら、一例では、保冷時間は、１１から１５時間とすることができる。他の例では、保冷時間は、約１２．２４時間とすることができる。断熱装置の熱利得率は、約１から１．５ｄｅｇＦ／ｈｒとすることができ、特定の一例では、熱利得率は、約１．４ｄｅｇＦ／ｈｒとすることができる。保管区画は、１５分を超えて反転させながら液体をその中に維持するように構成されることができる。１つの特定の例では、保管区画は、反転されたときに液体をその中に３０分よりも長く維持し、保管区画の容積の半分は、液体によって満たされるように構成されることができる。
【０２１７】
一例では、断熱層は、外側シェルと内側ライナとの間で自由に浮遊することができる。断熱層は、独立気泡発泡体から形成されることができ、断熱層は、ＮＢＲおよびＰＶＣブレンドから作製されることができる。一例では、断熱層の少なくとも一部は、ＥＶＡ発泡体層から構成されることができる。クロージャは、複数のジッパー歯を含むジッパーアセンブリとすることができ、ジッパー歯は、プラスチックから形成されることができる。
【０２１８】
一例では、外側シェルおよび内側ライナは、二重積層ＴＰＵナイロン布から作製されることができる。外側シェルは、さらに、ストラップまたはハンドルのうちの少なくとも１つを含むことができる。外側シェルは、断熱装置を固定するための少なくとも１つのリングを含むことができる。断熱層は、断熱装置の内部温度を華氏５０度未満に６５から８５時間維持するように構成されることができる。クロージャは、第１のフランジおよび第２のフランジを有して形成されることができ、外側ライナは、第１のフランジおよび第２のフランジの上面に固定されることができる。内側ライナは、第１のフランジおよび第２のフランジの下面に固定されることができる。外側ライナおよび内側ライナは、ポリマー溶接によってクロージャに接続されることができる。一例では、クロージャは、大気圧よりも高く２から１４ｐｓｉまで水密性とすることができる。ループパッチはまた、断熱装置上に設けられることができる。
【０２１９】
他の例では、断熱装置は、外側シェルと、保管区画を形成する内側ライナと、断熱を提供する外側ライナと内側ライナの間に浮遊する発泡体層と、外側層および内側層を通って延在する開口と、開口を実質的にシールするように適合されたクロージャとを含むことができる。クロージャは、断熱装置が１５分を超えて反転されたときに液体が開口から出るのを防ぐように実質的に防水性とすることができる。断熱装置の熱利得率は、約１．０から１．５ｄｅｇＦ／ｈｒとすることができる。断熱装置は、少なくとも１つのハンドルを含むことができる。少なくとも１つのハンドルは、障害の兆候を示すことなく、１００ｌｂｓから３００ｌｂｓの重量を１から１０分間支持するように構成されることができる。一例では、断熱装置は、３５ｌｂｓから１００ｌｂｓの穿刺力に耐えるように構成されることができる。
【０２２０】
断熱装置を形成する例示的な方法は、内側ライナの第１の部分および外側シェルの第１の部分を形成することと、内側ライナの第１の部分および外側シェルの第１の部分をシール可能なクロージャに固定してキャップアセンブリを形成することと、内側ライナの第２の部分を形成し、内側ライナの第２の部分を内側ライナの第１の部分に固定して内側ライナを形成することと、外側シェルの第２の部分を形成することと、矩形発泡体部分を巻いて第１の円筒形発泡体部分を形成し、発泡体ベース部分を第１の円筒形発泡体部分に固定して発泡体アセンブリを形成することと、発泡体アセンブリを外側シェルの第２の部分に挿入することと、内側ライナを発泡体アセンブリに挿入することと、外側シェルの第１の部分を外側シェルの第２の部分に固定することとを含むことができる。本方法はまた、内部容器の内外への流体浸透に対する障壁となるように構成されたクロージャを固定することと、クロージャ、外側シェル、および内側ライナが平坦面にあるとき、クロージャと内側シェルとの間およびクロージャと外側シェルとの間に防水ポリマー溶接部を形成することとを含むことができる。
【０２２１】
一例では、内側ライナの第１の部分および外側シェルの第１の部分は、クロージャに固定されることができる。クロージャは、少なくとも１つのフランジを備えることができ、フランジは、外側シェルの第１の部分の下面および内側ライナの第１の部分の上面に固定されることができる。発泡体は、外側シェルの第２の部分と内側ライナの第２の部分との間で自由に浮遊することができる。外側シェルおよび内側シェルは、クロージャにのみ接続され、外側シェルと内側ライナとの間の断熱層には接続されない。外側シェルは、ＴＰＵナイロン素材から形成されることができ、内側ライナは、ＴＰＵナイロン素材から形成されることができる。クロージャは、第１のフランジおよび第２のフランジを含むことができる。外側ライナは、第１のフランジおよび第２のフランジの上面に固定されることができ、内側ライナは、第１のフランジおよび第２のフランジの下面に固定されることができる。断熱層の上部は、第１の外周を有することができる。断熱層の下部は、第２の外周を有することができる。第１の外周は、第２の外周と等しくすることができる。
【０２２２】
一例では、断熱装置は、側壁を画定する外側シェルと、保管区画を形成する内側ライナと、外側シェルと内側ライナとの間に配置された断熱層であって、保管区画に断熱を提供する断熱層と、外側シェルおよび内側ライナを通って延在する開口と、開口を実質的にシールするように適合されたクロージャであって、断熱装置が任意の向きにあるときに液体が開口から出るのを防ぐように実質的に防水であるクロージャとを含むことができる。断熱装置は、垂直に延在する前向き表面を含むことができ、クロージャは、前向き表面に配置されることができる。断熱装置の断面は、拡張位置において五角形に近付くことができ、断熱装置の断面は、拡張位置において台形に近付くことができる。断熱装置はまた、ベースを含むことができ、断熱層は、ベースを断熱することができる。ベースはまた、追加の断熱層を含むことができる。
【０２２３】
断熱装置はまた、クロージャを覆うように構成された折り畳み部分を含むことができる。折り畳み部分は、第１のセクションおよび第２のセクションを含み、第１のセクションには断熱層がなく、第２のセクションは、断熱層を含む。折り畳み部分は、少なくとも部分的に発泡体を含まなくてもよい。折り畳み部分は、側壁に固定されるように構成されることができる。折り畳み部分は、少なくとも１つのフックを含むことができ、側壁は、少なくとも１つのループを含むことができる。フックは、ループに係合して折り畳み部分を側壁に固定するように構成されることができる。折り畳み部分は、側壁に固定されることができ、折り畳み部分は、少なくとも部分的に実質的に水平方向に延在することができる。折り畳み部分は、第１の幅を画定することができ、クロージャは、第１の幅の少なくとも９５％にわたって延在する。折り畳み部分はまた、折り畳み部分が側壁に固定されたときにユーザによって把持されるように構成されたハンドルを含むことができる。
【０２２４】
断熱層は、発泡材料を含むことができる。断熱層は、第１の部分および第２の部分を含むことができ、第２の部分は、第１の部分よりも厚く形成されることができる。断熱層は、少なくとも部分的にＴ字形に形成されることができる。断熱層は、少なくとも部分的に第１の矩形および第２の矩形から形成されることができ、第１の矩形は、第２の矩形よりも大きな面積を有することができる。第１の矩形は、第１の矩形幅を有することができ、第２の矩形は、第２の矩形周囲を有することができる。第１の矩形幅は、第２の矩形周囲に近付くことができる。第２の矩形は、折り畳み部分まで延在することができる。断熱層は、第１の高さおよび第２の高さを有することができ、第１の高さは、第２の高さよりも高くすることができる。断熱層の大部分は、第２の高さまで延在することができる。
【０２２５】
断熱装置を形成する方法は、保管区画を画定する内側ライナを形成することと、側壁を画定する外側シェルを形成することと、外側シェルと内側ライナとの間に、保管区画に断熱を提供する断熱層を配置することと、内側ライナおよび外側シェルに開口を配置することと、内側ライナと外側シェルとの間にクロージャを配置することとを含むことができる。クロージャは、開口を実質的にシールするように適合されることができ、クロージャは、断熱装置が任意の向きにあるときに液体が開口から出るのを防ぐように実質的に防水性とすることができる。本方法はまた、クロージャを覆うように構成された折り畳み部分を形成することと、折り畳み部分に第１のセクションおよび第２のセクションを設けることとを含むことができる。第１のセクションは、断熱層を含まないことができ、第２のセクションは、断熱層を含むことができる。折り畳み部分は、少なくとも部分的に発泡体を含まなくてもよい。折り畳み部分は、側壁に固定するように構成されることができる。本方法はまた、断熱層を少なくとも部分的にＴ字形に形成することと、第１の矩形および第２の矩形の少なくとも一部に断熱層を形成することと、第２の矩形よりも大きい面積の第１の矩形を形成することとを含むことができる。本方法はまた、第２の矩形を折り畳み部分に拡張することと、ベース上に断熱層を提供することと、ベースに沿って追加の断熱層を提供することとを含むことができる。
【０２２６】
他の例では、断熱装置は、側壁を画定する外側シェルと、保管区画を形成する内側ライナと、外側シェルと内側ライナとの間に配置された断熱層とを含むことができる。断熱層は、保管区画に断熱を提供することができる。断熱装置は、保管区画へのアクセスを可能にするように構成された開口と、開口を実質的にシールするように適合されたクロージャとを含むことができる。断熱装置は、結合材料を含むことができ、結合材料は、内側ライナと外側シェルとの間の接合部にわたって配置されることができる。結合材料は、断熱装置に縫合されることができ、縫合は、断熱層と外側シェルとの間に閉じ込められた空気を排出するために外側シェルに開口を形成することができる。結合材料は、断熱装置を保持するための少なくとも１つのストラップを形成することができる。結合材料は、外側シェルに取り付けられた第１の折り畳み部分および第２の折り畳み部分を含むことができ、第２の折り畳み部分は、ストラップを形成することができる。
【０２２７】
断熱装置は、正面図から台形に近付くことができ、側面図から円錐形に近付くことができる。一例では、断熱装置は、断熱装置の容量の各クォートあたり０．５２ｌｂｓの氷によって満たされると、７０時間以上の持続時間で０°Ｆから５０°Ｆまで増加する。
【０２２８】
クロージャは、断熱装置が任意の向きにあるときに液体が開口から出るのを防ぐように実質的に防水性とすることができる。一例では、断熱装置は、いかなる水も保管区画から漏れたり出たりすることなく、１５分間反転保持されることに耐えるように構成されることができる。クロージャは、クロージャがシールされていないときに開放位置に留まるように構成されることができる。留め具は、ジッパーとすることができる。一例では、クロージャは、クロージャに沿って測定したとき、断熱装置の長さの少なくとも８０％延在している。クロージャの長さは、断熱装置の下部の長さよりも長くすることができ、クロージャの長さは、断熱装置の下部の長さよりも少なくとも５％長い。断熱装置は、垂直に延在する前向き表面を含むことができ、クロージャは、前向き表面に配置されることができる。ハンドルは、前向き表面に対向する後向き表面に配置されることができる。
【０２２９】
例示的な断熱装置では、断熱層は、発泡材料を含むことができる。断熱層は、第１の部分および第２の部分を含むことができ、第２の部分は、第１の部分よりも厚く形成されることができる。断熱層は、少なくとも部分的に第１の矩形および第２の矩形から形成されることができ、第１の矩形は、第２の矩形よりも大きな面積を有することができる。断熱層は、第１の高さおよび第２の高さを有することができ、第１の高さは、第２の高さよりも高くすることができる。一例では、断熱層の大部分は、第２の高さまで延在することができる。追加的にまたは代替的に、断熱層の前部は、第２の高さまで延在することができ、断熱層の後部は、第１の高さまで延在する。断熱装置は、ベースを含むことができ、断熱層は、ベースを断熱することができる。また、ベースは、追加のまたは別個の断熱層を含むことができる。一例では、断熱層は、保管区画を覆う内側ライナの８０％以上を覆うことができるか、または断熱層は、保管区画を覆う内側ライナの９０％以上を覆うことができる。
【０２３０】
他の例では、断熱装置を形成する方法は、保管区画を画定する内側ライナを形成することと、外側シェルを形成して側壁を画定することと、外側シェルと内側ライナとの間に、保管区画に断熱を提供する断熱層を配置することと、内側ライナおよび外側シェルに開口を配置することと、内側ライナと外側シェルとの間に、開口を実質的にシールするように適合されたクロージャを配置することとを含むことができ、クロージャは、断熱装置が任意の向きにあるときに液体が開口から出るのを防ぐように実質的に防水性である。本方法はまた、第１の矩形および第２の矩形の少なくとも一部に断熱層を形成することと、第２の矩形よりも大きい面積の第１の矩形を形成することとを含むことができる。本方法はまた、ベース上に断熱層を設けることと、ベースに沿って追加の断熱層を設けることとを含むことができる。
【０２３１】
例示的な断熱装置は、第１の側壁を画定する外側シェルと、保管区画を形成する内側ライナと、外側シェルと内側ライナとの間に配置された断熱層であって、保管区画に断熱を提供する断熱層とを含むことができる。外側シェルおよび内側ライナは、開口を画定することができ、開口は、保管区画へのアクセスを可能にするように構成されることができる。クロージャは、開口を実質的にシールするように適合されることができ、クロージャは、断熱装置が任意の向きにあるときに液体が開口から出るのを防ぐように実質的に防水性とすることができる。外側シェルは、第２の側壁および第３の側壁を含むことができ、開口は、第１の側壁、第２の側壁、および第３の側壁を通って延在することができる。断熱装置は、直方体の形状とすることができる。内側ライナおよび外側シェルは、接合部を形成することができ、接合部は、内側ライナと外側シェルとの間に閉じ込められたガスに対する通気孔を含むことができる。外側シェルは、１つ以上のハンドルを含むことができ、通気孔は、１つ以上のハンドルの位置に隣接して形成されることができる。クロージャは、断熱装置が６フィートの距離から落とされたときに液体が開口から出るのを防ぐように実質的に防水性とすることができる。
【０２３２】
断熱装置はまた、蓋アセンブリおよび本体アセンブリを含むことができる。蓋アセンブリおよび本体アセンブリは、内側ライナ、断熱層、および外側シェルを共に形成することができる。蓋アセンブリは、断熱層の少なくとも一部を含むことができる。蓋アセンブリは、ハンドルと、内側ライナ、断熱層、および外側シェルよりも剛性の高い補強層とを含むことができる。
【０２３３】
外側シェルは、第１の平面に延在する底壁を画定することができ、内側ライナは、第１の平面に垂直に延在する第２の平面において外側シェルに固定されることができる。ライナは、第１のピースおよび第２のピースから形成されることができ、第１のピースは、溶接によって第２のピースに接合されてシームを画定し、シームは、シームテープによって覆われることができる。１つの代替例では、内側ライナは、射出成形によって形成されることができる。クロージャは、ジッパーとすることができ、実質的に防水性とすることができる。ジッパーは、プルを含むことができ、プルは、布、紐、またはロープから形成されることができる。特定の例では、断熱装置の温度は、０．５時間から１．５時間で０°Ｆから１０°Ｆまで上昇し、断熱装置の温度は、２２時間から２８時間で１０°Ｆから５０°Ｆまで上昇し、断熱装置の温度は、２４時間から３０時間で０°Ｆから５０°Ｆまで上昇する。
【０２３４】
例示的な方法は、下部外側シェルを形成し、下部断熱層を下部外側シェルに配置し、下部内側ライナ部分を下部外側シェルに固定することによって本体アセンブリを形成することと、上部外側シェル、上部内側ライナ部分、およびそれらの間の上部断熱層の蓋アセンブリを形成することと、蓋アセンブリと本体アセンブリとの間にクロージャを固定し、結合材料を本体アセンブリおよび蓋アセンブリに固定することにより、蓋アセンブリを本体アセンブリに接合することとを含むことができる。断熱層は、下部外側シェルと下部内側ライナ部分との間で浮遊することができる。結合材料は、ナイロンから形成されることができ、結合材料は、本体アセンブリおよび蓋アセンブリに縫合されることができる。蓋アセンブリはまた、本体アセンブリに溶接されることができる。さらに、蓋アセンブリは、ハンドルと、内側ライナ、断熱層、および外側シェルよりも剛性の高い補強層とを有して形成されることができる。特定の例における下部内側ライナ部分は、射出成形によって形成されることができる。
【０２３５】
下部内側ライナ部分は、溶接によって下部外側シェルに固定されることができる。溶接部は、上部Ｕ字形部分、プレート部分、および下部Ｕ字形部分によって下部外側シェルを下部内側ライナ部分にクランプし、上部Ｕ字形部分、プレート部分、および下部Ｕ字形部分に電流を印加することによって形成されることができる。電流は、上部Ｕ字形部分、プレート部分、および下部Ｕ字形部分を介して第１の方向に印加されて第１の側面を溶接することができ、電流は、第２の方向に印加されて第２の側面を溶接することができる。
【０２３６】
例示的な断熱装置は、第１の側壁を画定する外側シェルと、保管区画を形成する内側ライナと、外側シェルと内側ライナとの間に配置された断熱層であって、保管区画に断熱を提供する断熱層とを含むことができる。例示的な断熱装置はまた、外側シェルに外部的に結合された後部パネル支持構造を含むことができる。外側シェルおよび内側ライナは、開口を画定することができ、開口は、保管区画へのアクセスを可能にするように構成されることができる。クロージャは、開口を実質的にシールするように適合されることができ、クロージャは、断熱装置が任意の向きにあるときに液体が開口から出るのを防ぐように実質的に防水性とすることができる。外側シェルは、断熱装置の側部を画定する第２の側壁および第３の側壁と、断熱装置の後部を画定する第４の側壁とを含むことができる。後部パネル支持構造は、第４の側壁に外部から結合されることができる。開口は、第１の側壁、第２の側壁、第３の側壁、および第４の側壁の少なくとも一部を通って延在することができる。断熱装置はまた、後部パネル支持構造に取り付けられた肩部ストラップを含むことができる。断熱装置は、直方体の形状とすることができる。内側ライナおよび外側シェルは、接合部を形成することができ、接合部は、内側ライナと外側シェルとの間に閉じ込められたガスに対する通気孔を含むことができる。外側シェルは、１つ以上のハンドルを含むことができ、通気孔は、１つ以上のハンドルの位置に隣接して形成されることができる。クロージャは、断熱装置が６フィートの距離から落とされたときに液体が開口から出るのを防ぐように実質的に防水性とすることができる。
【０２３７】
断熱装置はまた、蓋アセンブリおよび本体アセンブリを含むことができる。蓋アセンブリおよび本体アセンブリは、内側ライナ、断熱層、および外側シェルを共に形成することができる。蓋アセンブリは、断熱層の少なくとも一部を含むことができる。蓋アセンブリは、ハンドルと、内側ライナ、断熱層、および外側シェルよりも剛性の高い補強層とを含むことができる。
【０２３８】
外側シェルは、第１の平面に延在する底壁を画定することができ、内側ライナは、第１の平面に垂直に延在する第２の平面において外側シェルに固定されることができる。ライナは、第１のピースおよび第２のピースから形成されることができ、第１のピースは、溶接によって第２のピースに接合されてシームを画定し、シームは、シームテープによって覆われることができる。１つの代替例では、内側ライナは、射出成形によって形成されることができる。クロージャは、ジッパーとすることができ、実質的に防水性とすることができる。ジッパーは、プルを含むことができ、プルは、布、紐、またはロープから形成されることができる。特定の例では、断熱装置の温度は、０．５時間から１．５時間で０°Ｆから１０°Ｆまで上昇し、断熱装置の温度は、２２時間から２８時間で１０°Ｆから５０°Ｆまで上昇し、断熱装置の温度は、２４時間から３０時間で０°Ｆから５０°Ｆまで上昇する。
【０２３９】
例示的な方法は、下部外側シェルを形成し、下部断熱層を下部外側シェルに配置し、下部内側ライナ部分を下部外側シェルに固定することによって本体アセンブリを形成することと、上部外側シェル、上部内側ライナ部分およびそれらの間の上部断熱層の蓋アセンブリを形成することとを含むことができる。本方法はまた、後部パネル支持構造を形成することと、後部パネル支持構造を本体アセンブリの後部に接合することと、蓋アセンブリと本体アセンブリとの間にクロージャを固定し、結合材料を本体アセンブリおよび蓋アセンブリに固定することによって蓋アセンブリを本体アセンブリに接合することとを含むことができる。本方法はまた、肩部ストラップを形成することと、肩部ストラップを後部パネル支持構造に接合することとを含むことができる。断熱層は、下部外側シェルと下部内側ライナ部分との間で浮遊することができる。結合材料は、ナイロンから形成されることができ、結合材料は、本体アセンブリおよび蓋アセンブリに縫合されることができる。蓋アセンブリはまた、本体アセンブリに溶接されることができる。さらに、蓋アセンブリは、ハンドルと、内側ライナ、断熱層、および外側シェルよりも剛性の高い補強層とを有して形成されることができる。特定の例における下部内側ライナ部分は、射出成形によって形成されることができる。
【０２４０】
下部内側ライナ部分は、溶接によって下部外側シェルに固定されることができる。溶接部は、上部Ｕ字形部分、プレート部分、および下部Ｕ字形部分によって下部外側シェルを下部内側ライナ部分にクランプし、上部Ｕ字形部分、プレート部分、および下部Ｕ字形部分に電流を印加することによって形成されることができる。電流は、上部Ｕ字形部分、プレート部分、および下部Ｕ字形部分を介して第１の方向に印加されて第１の側面を溶接することができ、電流は、第２の方向に印加されて第２の側面を溶接することができる。
【０２４１】
例示的な断熱装置バックパックは、直方体形状を有し、断熱装置バックパックの前部を画定する第１の側壁を画定する外側シェルを含むことができる。第２の側壁および第３の側壁は、断熱装置のバックパックの側部を画定することができ、第４の側壁は、断熱装置のバックパックの後部を画定することができる。断熱装置バックパックは、さらに、第１の側壁を画定する外側シェルと、保管区画を形成する内側ライナと、外側シェルと内側ライナとの間に配置された断熱層であって、保管区画に断熱を提供する断熱層とを含むことができる。例示的な断熱装置バックパックはまた、外側シェルに外部的に取り付けられた後部パネル支持構造を含むことができる。例示的な断熱装置バックパックは、さらに、後部パネル支持構造に結合された肩部ストラップを含むことができる。外側シェルおよび内側ライナは、開口を画定することができ、開口は、保管区画へのアクセスを可能にするように構成されることができる。クロージャは、開口を実質的にシールするように適合されることができ、クロージャは、断熱装置が任意の向きにあるときに液体が開口から出るのを防ぐように実質的に防水性とすることができる。後部パネル支持構造は、第４の側壁に外部から結合されることができる。開口は、第１の側壁、第２の側壁、第３の側壁、および第４の側壁の少なくとも一部を通って延在することができる。内側ライナおよび外側シェルは、接合部を形成することができ、接合部は、内側ライナと外側シェルとの間に閉じ込められたガスに対する通気孔を含むことができる。外側シェルは、１つ以上のハンドルを含むことができ、通気孔は、１つ以上のハンドルの位置に隣接して形成されることができる。クロージャは、断熱装置が６フィートの距離から落とされたときに液体が開口から出るのを防ぐように実質的に防水性とすることができる。
【０２４２】
本開示は、上記を開示し、様々な例を参照する図面を添付している。しかしながら、本開示によって提供される目的は、本発明の範囲に限定されるわけではなく、本発明に関係する様々な特徴および概念の例を提供することである。当業者であれば、本発明の範囲を逸脱することなく、上記で述べた例に対して数多くの変形および変更がなされ得ると認識するであろう。
【図１Ａ】
2021508265.tif 000004
【図１Ｂ】
2021508265.tif 000005
【図２】
2021508265.tif 000006
【図３Ａ】
2021508265.tif 000007
【図３Ｂ】
2021508265.tif 000008
【図３Ｃ】
2021508265.tif 000009
【図４】
2021508265.tif 000010
【図５Ａ】
2021508265.tif 000011
【図５Ｂ】
2021508265.tif 000012
【図６】
2021508265.tif 000013
【図７Ａ】
2021508265.tif 000014
【図７Ｂ】
2021508265.tif 000015
【図７Ｃ】
2021508265.tif 000016
【図７Ｄ】
2021508265.tif 000017
【図７Ｅ】
2021508265.tif 000018
【図７Ｆ】
2021508265.tif 000019
【図７Ｇ】
2021508265.tif 000020
【図７Ｈ】
2021508265.tif 000021
【図７Ｉ】
2021508265.tif 000022
【図７Ｊ】
2021508265.tif 000023
【図８Ａ】
2021508265.tif 000024
【図８Ｂ】
2021508265.tif 000025
【図９】
2021508265.tif 000026
【図１０】
2021508265.tif 000027
【図１１】
2021508265.tif 000028
【図１２】
2021508265.tif 000029
【図１３】
2021508265.tif 000030
【図１４Ａ】
2021508265.tif 000031
【図１４Ｂ】
2021508265.tif 000032
【図１５】
2021508265.tif 000033
【図１６Ａ】
2021508265.tif 000034
【図１６Ｂ】
2021508265.tif 000035
【図１７】
2021508265.tif 000036
【図１８】
2021508265.tif 000037
【図１９】
2021508265.tif 000038
【図２０】
2021508265.tif 000039
【図２１】
2021508265.tif 000040
【図２２】
2021508265.tif 000041
【図２２Ａ】
2021508265.tif 000042
【図２３】
2021508265.tif 000043
【図２４】
2021508265.tif 000044
【図２５】
2021508265.tif 000045
【図２６】
2021508265.tif 000046
【図２７】
2021508265.tif 000047
【図２８】
2021508265.tif 000048
【図２９Ａ】
2021508265.tif 000049
【図２９Ｂ】
2021508265.tif 000050
【図３０】
2021508265.tif 000051
【図３１】
2021508265.tif 000052
【図３２】
2021508265.tif 000053
【図３２Ａ】
2021508265.tif 000054
【図３３】
2021508265.tif 000055
【図３４】
2021508265.tif 000056
【図３５Ａ】
2021508265.tif 000057
【図３５Ｂ】
2021508265.tif 000058
【図３５Ｃ】
2021508265.tif 000059
【図３５Ｄ】
2021508265.tif 000060
【図３５Ｅ】
2021508265.tif 000061
【図３５Ｆ】
2021508265.tif 000062
【図３６Ａ】
2021508265.tif 000063
【図３６Ｂ】
2021508265.tif 000064
【図３７】
2021508265.tif 000065
【図３８】
2021508265.tif 000066
【図３９】
2021508265.tif 000067
【図４０Ａ】
2021508265.tif 000068
【図４０Ｂ】
2021508265.tif 000069
【図４１】
2021508265.tif 000070
【図４２】
2021508265.tif 000071
【図４３】
2021508265.tif 000072
【図４４】
2021508265.tif 000073
【図４５】
2021508265.tif 000074
【図４６】
2021508265.tif 000075
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
断熱装置バックパックであって、
直方体形状を有する外側シェルであって、さらに、
前記断熱装置バックパックの前部を画定する第１の側壁と、
前記断熱装置バックパックの側部を画定する第２の側壁および第３の側壁と、前記断熱装置バックパックの後部を画定する第４の側壁とを備える、外側シェルと、
保管区画を形成する内側ライナと、
前記外側シェルと前記内側ライナとの間に配置された断熱層であって、前記保管区画に断熱を提供する断熱層と、
後部パネル支持構造であって、前記外側シェルの前記第４の側壁、および前記後部パネル支持構造の縁の周りに延在する結合材に外部的に結合され、前記第４の側壁の全表面よりも小さい部分を覆う後部パネル支持構造と、
前記後部パネル支持構造の周りに延在する前記結合材の上縁および下側縁に結合された肩部ストラップと、
２つの分割リングファスナによって前記第４の側壁に取り外し可能に結合された腰部ストラップであって、前記２つの分割リングファスナのそれぞれが、前記第４の側壁に結合された下部取り付けループを受け入れるように構成されたギャップを有する細長ループ要素を備える、腰部ストラップと、
前記保管区画へのアクセスを可能にするように構成された開口と、
前記開口を実質的にシールするように適合されたクロージャであって、前記断熱装置バックパックが任意の向きにあるときに液体が前記開口から出るのを防ぐように実質的に防水性であるクロージャとを備え、
前記開口が、前記第１の側壁、前記第２の側壁、前記第３の側壁、および前記第４の側壁の少なくとも一部を通って延在している、断熱装置バックパック。
【請求項２】
前記後部パネル支持構造が外側層および内側層を含み、前記後部パネル支持構造の前記内側層が圧縮成形されたエチレンビニルアセテートを含む、請求項１に記載の断熱装置バックパック。
【請求項３】
前記複数の通気孔が、前記断熱装置バックパックの外部から視認可能でない、請求項１に記載の絶縁装置バックパック。
【請求項４】
前記クロージャが、前記断熱装置が水によって完全に満たされ且つ６フィートの距離から落とされたときに液体が前記開口から出るのを防ぐように実質的に防水性である、請求項１に記載の断熱装置バックパック。
【請求項５】
前記外側シェルが、第１の平面に延在する底壁を画定し、前記内側ライナが、前記第１の平面に対して垂直に延在する第２の平面において前記外側シェルに固定される、請求項１に記載の断熱装置バックパック。
【請求項６】
前記内側ライナが、第１のピースおよび第２のピースから形成され、前記第１のピースが、溶接によって前記第２のピースに接合されてシームを画定し、前記シームがシームテープによって覆われる、請求項１に記載の断熱装置バックパック。
【請求項７】
前記内側ライナが、射出成形によって形成される、請求項１に記載の断熱装置バックパック。
【請求項８】
前記クロージャが、ジッパーであり、実質的に防水性であり、ジッパーがプルを含み、前記プルが、布、紐、またはロープから形成されている、請求項１に記載の断熱装置バックパック。
【請求項９】
蓋アセンブリおよび本体アセンブリをさらに備える、請求項１に記載の断熱装置バックパック。
【請求項１０】
前記蓋アセンブリが、前記断熱層の少なくとも一部を含む、請求項９に記載の断熱装置バックパック。
【請求項１１】
前記蓋アセンブリが、ハンドルと、前記内側ライナ、前記断熱層、および前記外側シェルよりも剛性の高い補強層とを含む、請求項９に記載の断熱装置バックパック。
【請求項１２】
前記断熱層が、前記内側ライナと前記外側シェルとの間で浮遊する、請求項１に記載の断熱装置バックパック。
【請求項１３】
前記断熱層が、前記内側ライナまたは前記外側シェルに取り付けられている、請求項１に記載の断熱装置バックパック。
【請求項１４】
本体アセンブリの前部を画定する第１の側壁、前記本体アセンブリの側部を画定する第２および第３の側壁、前記本体アセンブリの後部を画定する第４の側壁を有する下部外側シェルを形成し、下部断熱層を前記下部外側シェルに配置し、下部内側ライナ部分を前記下部外側シェルに固定することにより、前記本体アセンブリを形成することと、
上部外側シェル、上部内側ライナ部分、およびそれらの間の上部断熱層の蓋アセンブリを形成することと、
後部パネル支持構造を形成し、前記本体アセンブリの第４の側壁、および前記後部パネル支持構造の縁の周りに延在する結合材に前記後部パネル支持構造を接合することであって、前記後部パネル支持構造が前記第４の側壁の全表面よりも小さい部分を覆う、接合することと、
肩部ストラップを形成し、前記肩部ストラップを前記後部パネル支持構造の周りに延在する前記結合材の上縁および下側縁に接合することと、
前記蓋アセンブリと前記本体アセンブリとの間にクロージャを固定し、結合材料を前記本体アセンブリおよび前記蓋アセンブリに固定することにより、前記蓋アセンブリを前記本体アセンブリに接合することとを含む、方法。
【請求項１５】
前記断熱層が、前記下部外側シェルと前記下部内側ライナ部分との間で浮遊する、請求項１４に記載の方法。
【国際調査報告】
2021508265.tif 000076
2021508265.tif 000077